(57)【特許請求の範囲】
【請求項１】
ある物質が所望のG蛋白質共役型受容体のアゴニストであるか否かを決定する方法であって、下記(a)乃至(c)の工程を含むことを特徴とする方法：
(a)少なくとも下記(1)及び(2)の外来性遺伝子：(1)該所望のG蛋白質共役型受容体をコードする遺伝子；及び(2)zif268(EGR-1)プロモーター領域に発現可能に連結されたレポーター遺伝子；を有するPC12h細胞またはPC12h細胞株からサブクローニングされた細胞の定数からなる試料に該物質を接触させる工程；
(b)該物質に接触させた該試料中の各細胞において発現した該レポーター遺伝子が生ずる検出可能なシグナル、及び該物質に接触させていない該試料の各細胞において発現した該レポーター遺伝子が生ずる検出可能なシグナルの各々を定量的に決定する工程；及び、
(c)工程(b)で決定した該各々のシグナルの量を比較する工程。
【請求項２】
所望のG蛋白質共役型受容体のアゴニストを同定するために物質をスクリーニングする方法であって、下記(a)乃至(c)の工程を含むことを特徴とする方法：
(a)少なくとも下記(1)及び(2)の外来性遺伝子：(1)該所望のG蛋白質共役型受容体をコードする遺伝子；及び(2)zif268(EGR-1)プロモーター領域に発現可能に連結されたレポーター遺伝子；を有するPC12h細胞またはPC12h細胞株からサブクローニングされた細胞の定数からなる試料の複数を準備し、該試料の各々に異なる物質を接触させる工程；
(b)工程(a)で該物質に接触させた各々の試料について、該試料中の各細胞において発現した該レポーター遺伝子が生ずる検出可能なシグナルを、及びいずれの物質にも接触させていない該試料の各細胞において発現した該レポーター遺伝子が生ずる検出可能なシグナルの各々を定量的に決定する工程；及び、
(c)工程(b)で決定した該各々のシグナルの量を比較する工程。
【請求項３】
ある物質が所望のG蛋白質共役型受容体のアンタゴニストであるか否か、または該G蛋白質共役型受容体のアゴニストのアゴニスト作用の阻害物質であるか否かを決定する方法であって、下記(a)乃至(c)の工程を含むことを特徴とする方法：
(a)少なくとも下記(1)及び(2)の外来性遺伝子：(1)該所望のG蛋白質共役型受容体をコードする遺伝子；及び(2)zif268(EGR-1)プロモーター領域に発現可能に連結されたレポーター遺伝子；を有するPC12h細胞またはPC12h細胞株からサブクローニングされた細胞の定数からなる試料に該G蛋白質受容体のアゴニスト及び該物質を接触させる工程；
(b)該物質に接触させた該試料中の各細胞において発現した該レポーター遺伝子が生ずる検出可能なシグナル、及び該物質に接触させていない該試料の各細胞において発現した該レポーター遺伝子が生ずる検出可能なシグナルの各々を定量的に決定する工程；及び、
(c)工程(b)で決定した該各々のシグナルの量を比較する工程。
【請求項４】
所望のG蛋白質共役型受容体のアンタゴニストまたは該G蛋白質共役型受容体のアゴニストのアゴニスト作用の阻害物質を同定するために物質をスクリーニングする方法であって、下記(a)乃至(c)の工程を含むことを特徴とする方法：
(a)少なくとも下記(1)及び(2)の外来性遺伝子：(1)該所望のG蛋白質共役型受容体をコードする遺伝子；及び(2)zif268(EGR-1)プロモーター領域に発現可能に連結されたレポーター遺伝子；を有するPC12h細胞またはPC12h細胞株からサブクローニングされた細胞の定数からなる試料の複数を準備し、該試料の各々に該G蛋白質受容体のアゴニストと異なる物質を接触させる工程；
(b)工程(a)で該物質に接触させた各々の試料について、該試料中の各細胞において発現した該レポーター遺伝子が生ずる検出可能なシグナルを、及びいずれの物質にも接触させていない該試料の各細胞において発現した該レポーター遺伝子が生ずる検出可能なシグナルの各々を定量的に決定する工程；及び、
(c)工程(b)で決定した該各々のシグナルの量を比較する工程。
【請求項５】
該PC12h細胞またはPC12h細胞株からサブクローニングされた細胞が、さらに下記(a)乃至(c)のいずれかの外来性遺伝子を有するものであることを特徴とする請求項１乃至請求項４のいずれかに記載の方法：
(a)GαqのC末端アミノ酸配列の一部がGαiのC末端アミノ酸配列の一部に置換されてなるキメラG蛋白Gαサブユニットをコードする遺伝子；
(b)GαsのC末端アミノ酸配列の一部がGαiのC末端アミノ酸配列の一部に置換されてなるキメラG蛋白Gαサブユニットをコードする遺伝子；または、
(c)受容体特異性を有さずに受容体と共役し、フォスフォリパーゼCを活性化することによりシグナルを伝達するG蛋白質をコードする遺伝子。
【請求項６】
前記(c)に記載のG蛋白質が、G16またはG15であることを特徴とする請求項５に記載の方法。
【請求項７】
少なくとも下記(1)及び(2)の外来性遺伝子を有するPC12h細胞またはPC12h細胞株からサブクローニングされた細胞：(1)所望のG蛋白質共役型受容体をコードする遺伝子；及び(2)zif268プロモーター領域に発現可能に連結されたレポーター遺伝子。
【請求項８】
該PC12h細胞またはPC12h細胞株からサブクローニングされた細胞が、さらに下記(a)乃至(c)のいずれかの外来性遺伝子を有するものであることを特徴とする請求項７に記載の細胞：
(a)GαqのC末端アミノ酸配列の一部がGαiのC末端アミノ酸配列の一部に置換されてなるキメラG蛋白Gαサブユニットをコードする遺伝子；
(b)GαsのC末端アミノ酸配列の一部がGαiのC末端アミノ酸配列の一部に置換されてなるキメラG蛋白Gαサブユニットをコードする遺伝子；または、
(c)受容体特異性を有さずに受容体と共役し、フォスフォリパーゼCを活性化することによりシグナルを伝達するG蛋白質をコードする遺伝子。
【請求項９】
前記(c)に記載のG蛋白質が、G16またはG15であることを特徴とする請求項８に記載の細胞。
【発明の詳細な説明】
【０００１】
【発明の属する技術分野】
本発明は、（１）所望の物質がＧ蛋白質共役型受容体のアゴニスト、アンタゴニストまたは該アゴニストのアゴニスト作用の阻害する物質であるか否かを決定する方法、（２）Ｇ蛋白質共役型受容体のリガンドであるアゴニスト、アンタゴニスト及び／または該アゴニストのアゴニスト作用を阻害する物質のスクリーニングする方法、（３）該いずれかの方法に用いられるＰＣ１２由来細胞、及び（４）ある物質と相互作用する受容体（例えば、Ｇ蛋白質共役型受容体）をエクスプレッションクローニング法により同定する方法に関する。
【０００２】
【従来の技術】
Ｇ蛋白質共役型受容体は、細胞膜上の受容体であり、７ヶ所の細胞膜貫通部を有し、ＧＴＰ（グアノシン５’−三リン酸）結合性の制御蛋白質（Ｇ蛋白質）を介して、リガンドの情報をエフェクター系に伝える役割を担っている。
Ｇ蛋白質は、α、β及びγの３つのサブユニットからなる３量体で、αサブユニットの種類によってＧｓ、Ｇｉ、Ｇｏ及びＧｑ等に大別され、各々受容体特異性（共役するＧ蛋白質受容体）及びエフェクター系（酵素やイオンチャンネル）の種類が異なっている。
【０００３】
例えば、グルカゴン様ペプチド１受容体やβ２アドレナリン受容体はＧｓと共役してエフェクター系であるアデニル酸シクラーゼ系を促進させ、サイクリックＡＭＰ（ｃＡＭＰ）を増加さる。また、α２アドレナリン受容体はＧｉと共役してアデニル酸シクラーゼ系を抑制し、ｃＡＭＰを減少させる。Ｈ１ヒスタミン受容体はＧｑと共役してエフェクター系であるホスホリパーゼＣ系を促進して、ジアシルグリセロールとイノシトール３リン酸を増加させ、細胞内Ｃａ２＋を増加させる。エフェクター系の種類は、アデニル酸シクラーゼ系、ホスホリパーゼＣ系、及びｃＧＭＰホスホジエステラーゼ系などが主要なものである。
【０００４】
Ｇ蛋白質は、αサブユニットにＧＤＰ（グアノシン５’−二リン酸）が結合し、βサブユニット及びγサブユニットと会合している。α、β及びγが会合した状態は不活性型で、受容体にリガンドが結合すると、αに結合していたＧＤＰがＧＴＰに置換され、そしてαサブユニットにＧＴＰが結合したα-GTPと、β-γの結合体とに乖離する。α-GTP及びβ-γはエフェクター系に作用してシグナルを伝達する。この間にαサブユニットの持つGTPase活性によってＧＴＰが分解されＧＤＰになると、α−ＧＤＰはエフェクター系を離れてβ及びγと会合し、再び不活性型となる。この反応を繰り返すことにより、情報の増幅、伝達が行なわれる。
Ｇ蛋白質共役型受容体の生体内分布は特定の器官に局在しているものが多いが、Ｇ蛋白質は生体内に広く分布している。そして、前述したようにＧ蛋白質はＧ蛋白質共役型受容体を通じて、主に一連の細胞内リン酸化反応の引き金となって、遺伝子レベルでの転写調節から筋収縮まで幅広く細胞及び臓器機能の制御を行なっている。
【０００５】
例えば、β１アドレナリン受容体は、心臓、脂肪組織、大脳皮質などに局在し、Ｇｓによってアデニル酸シクラーゼ系が促進され、心拍増加、心収縮力増加、脂肪分解といった効果をもたらす。
このように、Ｇ共役型受容体／Ｇ蛋白質によって制御される情報伝達系は、生体の生理機能の制御に必須のメカニズムであり、換言すれば、該情報伝達系は種々の疾病の発症に広く関与するものである。従って、ある疾患の発症に関与するＧ蛋白質共役受容体が同定されれば、該受容体の生理機能を調節する薬剤（アゴニスト、アンタゴニスト、アゴニスト作用阻害物質など）を開発することにより、該薬剤によりその疾患を治療することが可能となる。
【０００６】
一方、最近、多数の新規なＧ蛋白質共役型受容体（オーファンＧ蛋白質共役型受容体）が単離されてきている（例えば、特開平９−２６８号公報、特開平９−５１７９５号等。）。しかしながら、それらの中には該受容体と相互作用するリガンドが未知のもの、即ちオーファンＧ蛋白質受容体のものがほとんどである。前述したとおり、Ｇ蛋白質共役型受容体は生体の生理機能の制御及び種々の疾患の発症に深く関与することから、該受容体の生理機能を明らかにすることは、種々の疾患の発症の原因を解明することにおいて極めて重要である。
Ｇ蛋白質共役型受容体の生理機能を明らかにするために最も重要なことは、該受容体のリガンド、即ち、該受容体のアゴニストを同定することであり、多くの科学者が精力的に研究を行っている。
【０００７】
リガンドが同定されていないＧ蛋白質共役型受容体（即ち、オーファンＧ蛋白質共役型受容体）のリガンド（即ち、該受容体と相互作用する物質であるアゴニストやアンタゴニストなど）を同定するためには、数万種以上の多数の候補物質を試験によりスクリーニングする必要があり、該スクリーニングを迅速を行うことが可能なアッセイ系が必要である。
また、該アッセイは、被験物質と該受容体との相互作用の有無を、該受容体が共役するＧ蛋白質を介して誘導される２次メッセンジャーの活性化若しくは抑制の増減を定量的に検出する必要があることから、該メッセージの増減を高感度で検出可能なアッセイ方法が必要である。
【０００８】
従来のアッセイ方法としては次のような方法が知られている。
即ち、目的のＧ蛋白質共役型受容体を発現する細胞に試験試料（被験物質）あるいは既知アゴニスト及び試験試料を作用させ、エフェクター系の作用によって生ずるセカンドメッセンジャー、例えばGsあるいはGi共役型受容体の場合にはアデニル酸シクラーゼの活性変動に連携したcAMPの量、Gq共役型受容体の場合にはホスホリパーゼCの活性変動に連携したイノシトール3リン酸やCa2+濃度を測定する手法が汎用されている。
しかしながら、これらの測定方法は極めて煩雑な操作を必要とし大量の被験物質を迅速に評価することは極めて困難であった。また、これらの方法は、目的とする受容体が共役するＧ蛋白質の種類によって、測定されるべきセカンドメッセンジャーを選択する必要がある。従って、該受容体と共役するＧ蛋白質が不明の場合には、Gs、Gi、及びGqの各々を介するメッセージを測定可能な各々のアッセイ系で複数種類ののアッセイを行う必要があった。
さらに、Giと共役する受容体については、該受容体とGiとの共役により誘導される２次メッセージは、アデニル酸シクラーゼの抑制によるcAMPの減少であることから、この減少を定量的に捕らえるためには、Gsを活性化しcAMPを増加させる試薬（フォルスコリンなど）により予めcAMP量を増加させ、該cAMPの増加に対する被験物質によるcAMP量減少量として評価する必要があり、極めて煩雑な操作を必要とした。
【０００９】
最近になって、多数の被験物質を迅速に試験するための方法として、レポーター遺伝子を用いたアッセイ系（レポータージーンアッセイ）が開発された（国際特許出願公開WO92/02639号、及び特表平6-502527など）。それらの中で優れた方法としては、CRE（cAMPレスポンスエレメント）をプロモーターとして含むレポーター遺伝子を細胞内に導入し、該細胞に被験物質を接触させることにより変動するレポーター遺伝子産物の程度を定量することによりGsやGi系のシグナル伝達の有無として捕らえる方法や、SRE（シーラムレスポンスエレメント）をプロモーターとして含むレポーター遺伝子を用いて前記と同様にGq系からのシグナル伝達の有無を検出する方法がある。
本方法により比較的大量のサンプルを処理することは可能になったが、例えば従来のSREを用いたGq系のシグナル伝達評価系では、被験物質を細胞に接触させて誘導されるレポーター遺伝子産物の増加の程度は、被験物質を接触させない場合もそれの約５〜10倍程度であり、該被験物質が該受容体との相互作用すると判定するにはあまりに低い程度である。
【００１０】
また、セカンドメッセンジャーの１つである細胞内Ca2+濃度の増減を測定する方法に関しても、大量の被験物質を短時間で測定できる方法が最近開発されてきている。しかしながら、この方法も、被験物質による刺激の前後で検出されるシグナルの比（S/N比）は約５倍程度と低いものである。
被験物質の受容体に対する相互作用の有無を明確に決定でき、多数の被験物質を迅速にスクリーニングすることが可能なアッセイ系をミニチュア化するためには、細胞当たりでより大きなシグナルを誘導し、該シグナルの誘導を高いS/N比で得られるアッセイ系を開発する必要がある。
また、この細胞内Ca2+の増減を指標としたアッセイ系では、Gqを介するシグナル伝達の有無しか測定できないという問題を有したままである。
また、同様に、上述したレポータージーンアッセイ系においても、目的とする受容体が共役するG蛋白質の種類によってレポーターを選択する必要があるという問題点、ならびにGiと共役する受容体のリガンドの探索においては、被験物質と該受容体との相互作用の有無を、Gsを介するシグナル伝達により増加させたcAMPの増加に対するcAMPの増加の抑制の程度を指標として評価しなくてはいけない問題点は残されたままであった。
【００１１】
従って、所望のＧ蛋白質共役型受容体のリガンド（該受容体と相互作用する物質）を同定するために、被験物質と該受容体の相互作用により伝達されるシグナルにより誘導される２次メッセージを大きな絶対値として及び高い感度（高いS/N比）で検出でき、且つ多数種類の被験物質を迅速にスクリーニングできるアッセイ方法の開発が熱望されている。さらにまた、１種類のアッセイ系で、Gs、Gi、及びGqの任意を介するシグナル伝達の有無を同時に捕えられるアッセイ系の樹立が求められている。
【００１２】
【発明が解決しようとする課題】
本発明の第１の目的は、Ｇ蛋白質共役型受容体に対してアゴニスト、アンタゴニストあるいはアゴニスト作用阻害物質を作用させた場合のシグナルの変化を、大きな絶対値として、また高いS/N比で検出できるアッセイ系の樹立である。
第２の目的は、受容体に共役するG蛋白質の種類に関わらずGs、Gi、Gqのいずれかを介するシグナル伝達の有無を１種類の細胞で検出可能なアッセイ系の樹立である。
第３の目的は、GsまたはGqを介するエフェクター系に対して促進的に働くシグナルはもちろんのこと、Giを介するエフェクター系に対して抑制的に働くシグナル（cAMP産生を抑制させるシグナル）もシグナルの増強として検出できるアッセイ系の樹立である。
第４の目的は、上記のアッセイ方法を用いて、（１）所望の物質がＧ蛋白質共役型受容体のアゴニスト、アンタゴニストまたは該アゴニストのアゴニスト作用の阻害する物質であるか否かの決定、及び（２）Ｇ蛋白質共役型受容体のリガンドであるアゴニスト、アンタゴニスト及び／または該アゴニストのアゴニスト作用を阻害する物質のスクリーニング、を迅速且つ簡便に実施することが可能な方法を提供することを目的とする。
第５の目的は、上記のアッセイ方法を用いて、ある物質と相互作用する受容体（例えば、Ｇ蛋白質共役型受容体）を、エクスプレッションクローニング法を用いて簡便に同定する方法を提供する。
【００１３】
【問題を解決するための手段】
本発明者らは、上記目的を達成するために、レポーター遺伝子を用いるアッセイ方法によりＧ蛋白質受容体のリガンドを同定する方法において用いる宿主細胞、プロモーター領域及びそれらの組み合わせについて鋭意検討した結果、所望のＧ蛋白質共役型受容体を発現する宿主細胞としてPC12h細胞を用いた場合に、アゴニスト添加によりレポーター遺伝子産物の発現が極めて顕著に見られることを発見した。
また、レポーター遺伝子を発現を制御するプロモーターとしてzif268プロモーター領域（以下、単にzif268ということもある。）を用いることにより、Gs及びGqの両者のシグナル伝達をレポーター遺伝子産物の発現増加として最も感度よく検出できることを発見した。
【００１４】
さらに、宿主細胞としてPC12由来細胞（特に、PC12h細胞）を、またレポーター遺伝子発現の制御プロモーターとしてzif268プロモーター領域を用いた場合に、Gs及びGqの両者のシグナル伝達を極めて高い感度で検出できることを見出した。
加えて、該宿主細胞に、下記いずれかの遺伝子：
（ａ）ＧαｑのＣ末端アミノ酸配列の一部がＧαｉのＣ末端アミノ酸配列の一部に置換されてなるキメラＧ蛋白質Ｇαサブユニットをコードする遺伝子；
（ｂ）ＧαｓのＣ末端アミノ酸配列の一部がＧαｉのＣ末端アミノ酸配列の一部に置換されてなるキメラＧ蛋白質Ｇαサブユニットをコードする遺伝子；または、
（ｃ）受容体特異性を有さずに受容体と共役し、フォスフォリパーゼＣを活性
化することによりシグナルを伝達するＧ蛋白質をコードする遺伝子。
を導入しておくことにより、Giを介するシグナル伝達もレポーター遺伝子の発現の増加を指標として極めて高い感度で検出可能であることを見出した。
上記新規知見に基づき、Gs、Gi及びGqの任意のＧ蛋白質を介するシグナル伝達を高感度で検出でき、所望のＧ蛋白質共役型受容体と相互作用する物質（アゴニスト）、該物質のアンタゴニスト、または該アゴニストのアゴニスト作用を阻害する活性を有する物質などを迅速且つ簡便に同定できるアッセイ方法を発明するに到った。
【００１５】
本発明のアッセイ方法を用いれば、（１）ある物質が所望のＧ蛋白質共役型受容体のアゴニストであるか否かの決定、（２）所望のＧ蛋白質共役型受容体のアゴニスト、該受容体のアンタゴニスト及び／または該アゴニストのアゴニスト作用を阻害する活性を有する物質を同定するための多数の被験物質の迅速且つ簡便なスクリーニング、（３）エクスプレッションクローニング法を用いて、ある物質と相互作用する受容体（例えば、Ｇ蛋白質型受容体）を同定（クローニング）するための多数の被験蛋白質（cDNAやcDNAライブラリー）の迅速且つ簡便なスクリーニング、を達成することができる。
【００１６】
即ち、本発明は下記<1>乃至<22>に記載されるとおりの方法または細胞である。
<1>ある物質が所望のＧ蛋白質共役型受容体のアゴニストであるか否かを決定する方法であって、下記（ａ）乃至（ｃ）の工程を含むことを特徴とする方法：
（ａ）少なくとも下記（１）及び（２）の外来性遺伝子：
（１）該所望のＧ蛋白質共役型受容体をコードする遺伝子；及び
（２）Ｇ蛋白質を介する刺激により発現が誘導される遺伝子のプロモーター領域に発現可能に連結されたレポーター遺伝子；
を有するＰＣ１２由来細胞の定数からなる試料に該物質を接触させる工程；
（ｂ）該物質に接触させた該試料中の各細胞において発現した該レポーター遺伝子が生ずる検出可能なシグナル、及び該物質に接触させていない該試料の各細胞において発現した該レポーター遺伝子が生ずる検出可能なシグナルの各々を定量的に決定する工程；及び、
（ｃ）工程（ｂ）で決定した該各々のシグナルの量を比較する工程。
<2>所望のＧ蛋白質共役型受容体のアゴニストを同定するために物質をスクリーニングする方法であって、下記（ａ）乃至（ｃ）の工程を含むことを特徴とする方法：
（ａ）少なくとも下記（１）及び（２）の外来性遺伝子：
（１）該所望のＧ蛋白質共役型受容体をコードする遺伝子；及び
（２）Ｇ蛋白質を介する刺激により発現が誘導される遺伝子のプロモーター領域に発現可能に連結されたレポーター遺伝子；
を有するＰＣ１２由来細胞の定数からなる試料の複数を準備し、該試料の各々に異なる物質を接触させる工程；
（ｂ）工程（ａ）で該物質に接触させた各々の試料について、該試料中の各細胞において発現した該レポーター遺伝子が生ずる検出可能なシグナルを、及びいずれの物質にも接触させていない該試料の各細胞において発現した該レポーター遺伝子が生ずる検出可能なシグナルの各々を定量的に決定する工程；及び、
（ｃ）工程（ｂ）で決定した該各々のシグナルの量を比較する工程。
<3>ある物質が所望のＧ蛋白質共役型受容体のアンタゴニストであるか否か、または該Ｇ蛋白質共役型受容体のアゴニストのアゴニスト作用の阻害物質であるか否かを決定する方法であって、下記（ａ）乃至（ｃ）の工程を含むことを特徴とする方法：
（ａ）少なくとも下記（１）及び（２）の外来性遺伝子：
（１）該所望のＧ蛋白質共役型受容体をコードする遺伝子；及び
（２）Ｇ蛋白質を介する刺激により発現が誘導される遺伝子のプロモーター領域に発現可能に連結されたレポーター遺伝子；
を有するＰＣ１２由来細胞の定数からなる試料に該Ｇ蛋白質受容体のアゴニスト及び該物質を接触させる工程；
（ｂ）該物質に接触させた該試料中の各細胞において発現した該レポーター遺伝子が生ずる検出可能なシグナル、及び該物質に接触させていない該試料の各細胞において発現した該レポーター遺伝子が生ずる検出可能なシグナルの各々を定量的に決定する工程；及び、
（ｃ）工程（ｂ）で決定した該各々のシグナルの量を比較する工程。
<4>所望のＧ蛋白質共役型受容体のアンタゴニストまたは該Ｇ蛋白質共役型受容体のアゴニストのアゴニスト作用の阻害物質を同定するために物質をスクリーニングする方法であって、下記（ａ）乃至（ｃ）の工程を含むことを特徴とする方法：
（ａ）少なくとも下記（１）及び（２）の外来性遺伝子：
（１）該所望のＧ蛋白質共役型受容体をコードする遺伝子；及び
（２）Ｇ蛋白質を介する刺激により発現が誘導される遺伝子のプロモーター慮域に発現可能に連結されたレポーター遺伝子；
を有するＰＣ１２由来細胞の定数からなる試料の複数を準備し、該試料の各々に該該Ｇ蛋白質受容体のアゴニストと異なる物質を接触させる工程；
（ｂ）工程（ａ）で該物質に接触させた各々の試料について、該試料中の各細胞において発現した該レポーター遺伝子が生ずる検出可能なシグナルを、及びいずれの物質にも接触させていない該試料の各細胞において発現した該レポーター遺伝子が生ずる検出可能なシグナルの各々を定量的に決定する工程；及び、
（ｃ）工程（ｂ）で決定した該各々のシグナルの量を比較する工程。
<5>該プロモーター領域が、zif268（EGR-1）プロモーター領域、SREとCREとを含むプロモーター領域またはc-fosプロモーター領域のいずれかであることを特徴とする前記<1>乃至前記<2>のいずれかに記載の方法。
<6>該プロモーター領域が、zif268（EGR-1）プロモーター領域であることを特徴とする前記<1>乃至前記<4>のいずれかに記載の方法。
<7>該ＰＣ１２由来細胞が、さらに下記（ａ）乃至（ｃ）のいずれかの外来性遺伝子を有するものであることを特徴とする前記<1>乃至前記<6>のいずれかに記載の方法：
（ａ）ＧαｑのＣ末端アミノ酸配列の一部がＧαｉのＣ末端アミノ酸配列の一部に置換されてなるキメラＧ蛋白質Ｇαサブユニットをコードする遺伝子；
（ｂ）ＧαｓのＣ末端アミノ酸配列の一部がＧαｉのＣ末端アミノ酸配列の一部に置換されてなるキメラＧ蛋白質Ｇαサブユニットをコードする遺伝子；または、
（ｃ）受容体特異性を有さずに受容体と共役し、フォスフォリパーゼＣを活性化することによりシグナルを伝達するＧ蛋白質をコードする遺伝子。
<8>前記（ｃ）に記載のＧ蛋白質が、G16またはG15であることを特徴とする前記<7>に記載の方法。
<9>少なくとも下記（１）及び（２）の外来性遺伝子を有するＰＣ１２由来細胞：
（１）所望のＧ蛋白質共役型受容体をコードする遺伝子；及び
（２）Ｇ蛋白質を介する刺激により発現が誘導される遺伝子のプロモーター領域に発現可能に連結されたレポーター遺伝子。
<10>該プロモーター領域が、zif268プロモーター領域、SREとCREとを含むプロモーター領域またはc-fosプロモーター領域のいずれかであることを特徴とする前記<9>に記載の細胞。
<11>該プロモーター領域が、zif268プロモーター領域であることを特徴とする前記<9>に記載の細胞。
<12>該ＰＣ１２由来細胞が、さらに下記（ａ）乃至（ｃ）のいずれかの外来性遺伝子を有するものであることを特徴とする前記<9>乃至前記<11>のいずれかに記載の細胞：
（ａ）ＧαｑのＣ末端アミノ酸配列の一部がＧαｉのＣ末端アミノ酸配列の一部に置換されてなるキメラＧ蛋白質Ｇαサブユニットをコードする遺伝子；
（ｂ）ＧαｓのＣ末端アミノ酸配列の一部がＧαｉのＣ末端アミノ酸配列の一部に置換されてなるキメラＧ蛋白質Ｇαサブユニットをコードする遺伝子；または、
（ｃ）受容体特異性を有さずに受容体と共役し、フォスフォリパーゼＣを活性化することによりシグナルを伝達するＧ蛋白質をコードする遺伝子。
<13>前記（ｃ）に記載のＧ蛋白質が、G16またはG15であることを特徴とする前記<12>に記載の細胞。
<14>ある物質と相互作用する受容体を同定する方法であって、下記（ａ）乃至（ｄ）の工程を含むことを特徴とする方法（ここで、該物質は該受容体に対してアゴニストとして作用する。）：
（ａ）少なくとも下記（１）及び（２）の外来性遺伝子：
（１）蛋白質をコードする１または複数の遺伝子；及び
（２）Ｇ蛋白質を介する刺激により発現が誘導される遺伝子のプロモーター領域に発現可能に連結されたレポーター遺伝子；
を有するＰＣ１２由来細胞からなる試料の複数を準備し、該試料の各々に該物質を接触させる工程（ここで、該各々の試料中の該細胞は、試料毎に互いに異なる前記（１）の遺伝子を有する。）；
（ｂ）工程（ａ）で該物質に接触させた各々の試料について、該試料中の各細胞において発現した該レポーター遺伝子が生ずる検出可能なシグナルを、及び所望に応じて該物質に接触させていない該各々の試料の各細胞において発現した該レポーター遺伝子が生ずる検出可能なシグナルの各々を定量的に決定する工程；
（ｃ）工程（ｂ）で決定した該各々試料についてのシグナルの量を互いに比較し、工程（ａ）で試験された該複数の試料から１または複数の試料を選択する工程；及び
（ｄ）該選択された試料中の細胞が有する工程（ａ）の（１）に記載の該蛋白質をコードする遺伝子を塩基配列を決定する工程。
<15>ある物質と相互作用する受容体を同定する方法であって、下記（ａ）乃至（ｇ）の工程を含むことを特徴とする方法（ここで、該物質は該受容体に対してアゴニストとして作用する。）：
（ａ）少なくとも下記（１）及び（２）の外来性遺伝子：
（１）蛋白質をコードする１または複数の遺伝子；及び
（２）Ｇ蛋白質を介する刺激により発現が誘導される遺伝子のプロモーター領域に発現可能に連結されたレポーター遺伝子；
を有するＰＣ１２由来細胞からなる試料の複数を準備し、該試料の各々に該物質を接触させる工程（ここで、該各々の試料中の該細胞は、試料毎に互いに異なる前記（１）の遺伝子を有する。）；
（ｂ）工程（ａ）で該物質に接触させた各々の試料について、該試料中の各細胞において発現した該レポーター遺伝子が生ずる検出可能なシグナルを、及び所望に応じて該物質に接触させていない該各々の試料の各細胞において発現した該レポーター遺伝子が生ずる検出可能なシグナルの各々を定量的に決定する工程；
（ｃ）工程（ｂ）で決定した該各々試料についてのシグナルの量を互いに比較し、工程（ａ）で試験された該複数の試料から１または複数の試料を選択する工程；
（ｄ）少なくとも下記（１）及び（２）の外来性遺伝子：
（１）工程（ｃ）で選択された該試料中の細胞が有する外来性遺伝子であって、工程（ａ）の（１）に記載の該蛋白質をコードする１または複数の遺伝子；及び
（２）Ｇ蛋白質を介する刺激により発現が誘導される遺伝子のプロモーター領域に発現可能に連結されたレポーター遺伝子；
を有するＰＣ１２由来細胞からなる試料の複数を準備し、該試料の各々に該物質を接触させる工程（ここで、該各々の試料中の該細胞は、試料毎に互いに異なる前記（１）の遺伝子を有する。）；
（ｅ）工程（ｄ）で該物質に接触させた各々の試料について、該試料中の各細胞において発現した該レポーター遺伝子が生ずる検出可能なシグナルを、及び所望に応じて該物質に接触させていない該各々の試料の各細胞において発現した該レポーター遺伝子が生ずる検出可能なシグナルの各々を定量的に決定する工程；
（ｆ）工程（ｅ）で決定した該各々試料についてのシグナルの量を互いに比較し、工程（ｄ）で試験された該複数の試料から１または複数の試料を選択する工程；及び
（ｇ）該選択された試料中の細胞が有する工程（ｄ）の（１）に記載の該蛋白質をコードする遺伝子を塩基配列を決定する工程。
<16>該方法が、所望に応じ前記工程（ｆ）と工程（ｇ）の間に、前記工程（ｄ）乃至（ｆ）からなる同様の操作の１乃至複数回を含むことを特徴とする前記<15>に記載の方法。
<17>該プロモーター領域が、zif268（EGR-1）プロモーター領域、SREとCREとを含むプロモーター領域またはc-fosプロモーター領域のいずれかであることを特徴とする前記<14>乃至前記<16>のいずれかに記載の方法。
<18>該プロモーター領域が、zif268プロモーター領域であることを特徴とする前記<14>乃至前記<16>のいずれかに記載の方法。
<19>該ＰＣ１２由来細胞が、さらに下記（ａ）乃至（ｃ）のいずれかの外来性遺伝子を有するものであることを特徴とする前記<14>乃至前記<18>のいずれかに記載の方法：
（ａ）ＧαｑのＣ末端アミノ酸配列の一部がＧαｉのＣ末端アミノ酸配列の一部に置換されてなるキメラＧ蛋白質Ｇαサブユニットをコードする遺伝子；
（ｂ）ＧαｓのＣ末端アミノ酸配列の一部がＧαｉのＣ末端アミノ酸配列の一部に置換されてなるキメラＧ蛋白質Ｇαサブユニットをコードする遺伝子；または、
（ｃ）受容体特異性を有さずに受容体と共役し、フォスフォリパーゼＣを活性化することによりシグナルを伝達するＧ蛋白質をコードする遺伝子。
<20>前記（ｃ）に記載のＧ蛋白質が、G15またはG16であることを特徴とする前記<19>に記載の方法。
<21>該蛋白質をコードする１または複数の遺伝子が、cDNAまたはcDNAライブラリーであることを特徴とする前記<14>乃至前記<20>のいずれかに記載の方法
<22>該受容体が、Ｇ蛋白質共役型受容体であることを特徴とする前記<14>乃至前記<21>のいずれかに記載の方法。
【００１７】
【発明の実施の形態】
以下、本発明で用いる語句の意味及び本発明の具体的態様を明らかにすることにより本発明をさらに詳細に説明する。
【００１８】
１．「ＰＣ１２由来細胞」
本発明における「ＰＣ１２由来細胞」とは、ラット副腎褐色細胞腫由来のPC12細胞株（ATCC CRL-1721; Proc. Natl. Acad. Sci.USA., Vol.73, p.2424-2426, 1976; Science, Vol.229, p.393-395, 1985; EMBO J., Vol.2, p.643-648, 1983）または該PC12細胞株からからサブクローニングされた任意の細胞株を意味する。
好ましくは、該サブクローニングされた細胞であって、且つ下記の性質を有するものである。
即ち、該細胞に、（１）所望のＧ蛋白質共役型受容体をコードする遺伝子、並びに（２）後述する「Ｇ蛋白質を介する刺激により発現が誘導される遺伝子のプロモーター領域に発現可能に連結されたレポーター遺伝子」を外来的に導入して得た組換え細胞に、該Ｇ蛋白質共役型受容体のリガンドを接触させた場合に、発現が誘導される該レポーター遺伝子産物の量が、宿主細胞として該PC12細胞株を用いて検出されるレポーターの量よりも高い値が得られる細胞である。
該サブクローニングされた細胞としては、例えば、PC12h細胞株（Brain Research, Vol.222, p.225-233, 1981）並びに該PC12h細胞株からサブクローニングされた種々細胞を好ましい態様として例示することができる。
【００１９】
２．「Ｇ蛋白質共役型受容体」及び「Ｇ蛋白質共役型受容体をコードする遺伝子」
本発明における「Ｇ蛋白質共役型受容体」は、細胞膜上に存在する受容体であって、ＧＴＰ（グアノシン５'−三リン酸）結合性の制御蛋白質（Ｇ蛋白質）を介して、該受容体と相互作用するリガンドの情報をエフェクター系に伝える機能を有する蛋白質を意味する。これまでに同定されているほとんどのＧ蛋白質共役型受容体は細胞膜を７回貫通する構造を有している。
本発明におけるＧ蛋白質共役型受容体は、細胞が生来発現する内在性の受容体、または所望のＧ蛋白質共役型受容体をコードする遺伝子を該細胞に導入することにより該細胞に発現させた受容体のいずれかを意味する。
【００２０】
本発明における「Ｇ蛋白質共役型受容体」には、既知の該受容体及び未だ同定されていない該受容体のいずれもが包含される。
既知のＧ蛋白質共役型受容体の一例としては、既に構造及び機能が解明されている受容体（例えば、α-アドレナリン受容体、β-アドレナリン受容体、ドパミン受容体、ムスカリン性アセチルコリン受容体、セロトニン受容体、ヒスタミン受容体、タキキニン受容体、グルタミン酸受容体、エンドセリン受容体、血小板活性化因子（ＰＡＦ）受容体、トロンビン受容体、ＦＳＨ受容体等）、及び構造は知られているがそのリガンド及び／または生理機能が不明の受容体（例えば、種々のオーファンＧ蛋白質共役型受容体）を挙げることができる。
【００２１】
３．「Ｇ蛋白質共役型受容体リガンド」
本明細書中で用いる「Ｇ蛋白質共役型受容体リガンド」とは、Ｇ蛋白質共役型受容体と相互作用する任意のアゴニストまたは該受容体の任意のアンタゴニストを意味する。
【００２２】
４．「キメラＧ蛋白質Ｇαサブユニット」
本発明における「キメラＧ蛋白質Ｇαサブユニット」とは、ある種のＧ蛋白質のαサブユニット（例えば、ＧαｑあるいはＧαｓ）の一部のアミノ酸配列を、異なる種類のＧ蛋白質のαサブユニット（例えば、Ｇαｉ）の一部のアミノ酸配列に置き換えた構造を有するＧ蛋白質αサブユニットを意味する。
本発明における「キメラＧ蛋白質Ｇｑｉ」とは、Ｇαｑ（Ｇｑ蛋白質のαサブユニット）のＣ末端アミノ酸配列の一部が、ＧαｉのＣ末端アミノ酸配列の一部に置換えられた構造を有するキメラＧ蛋白質αサブユニットを意味する。また、「キメラＧ蛋白質Ｇｓｉ」とは、同様にＧαｓ（Ｇｓ蛋白質のαサブユニット）のＣ末端アミノ酸配列の一部が、ＧαｉのＣ末端アミノ酸配列と置換えられた構造を有するキメラＧ蛋白質αサブユニットを意味する。
【００２３】
Ｇ蛋白質ＧαｑのＣ末端のアミノ酸を対応するＧ蛋白質Ｇαｉ2のＣ末端のアミノ酸に置換したαｑ／αｉ2キメラＧ蛋白質は、Ｇｉ共役型受容体と共役してＧｑ情報伝達系を活性化すること、並びにαｉ2サブユニットのＣ末端アミノ酸配列中の第３位のグリシンが受容体特異性を変換することに寄与していると考えられることが知られている（Nature, Vol.363, p.274-276, 1993）。
従って、置換されるべきＧαｑのＣ末端アミノ酸配列の一部は、この３位のグリシンを含む範囲であることが特に望ましい。置換されるべきアミノ酸の数としては、少なくと約３乃至約23個のアミノ酸、好ましくは約３乃至約11個のアミノ酸、さらに好ましくは約４乃至約９個のアミノ酸である。
【００２４】
Ｇαｑ及びＧαｉは各々一群のファミリーを構成している。これらのファミリーは、その種類によって、組織分布が異なっている。
例えば、Ｇｉファミリーであるαｉ2及びαｉ3は広く組織に分布するが、αｏ1及びαｏ2は各々主に脳及び神経組織に発現している。一方、Ｇαｑファミリーのαｑ、α11は広く分布するが、α14は主に肺、腎臓、肝臓組織に発現している。
上述の「キメラＧ蛋白質Ｇαサブユニット」を構成するＧαｑ及びＧαｉとしては、各々のファミリーに属するいずれのＧαｑ及びＧαｉを用いてもよく、受容体の発現する組織に応じて選択することができる。好ましくは、広く組織に分布するものである。本発明におけるキメラＧαｑ／Ｇαiサブユニットとしては、ＧαｑとＧαｉ2とからなるキメラＧ蛋白質αサブユニットが好ましい。
【００２５】
上述したＧαqと同様に、Ｇαｓについても、置換されるべきＣ末端アミノ酸配列としては、少なくと約３乃至約23個、好ましくは約３個乃至約11個、さらに好ましくは約４個乃至約９個のアミノ酸を対応するＧ蛋白質ＧαｉのＣ末端のアミノ酸配列に置換すればよい。
なお、キメラＧ蛋白質Ｇαサブユニットの構成は上記に限定されるものではない。
【００２６】
５．「受容体特異性を有さずに受容体と共役し、フォスフォリパーゼＣを活性化することによりシグナルを伝達するＧ蛋白質」
本発明における標記のＧ蛋白質は、任意のＧ蛋白質共役型受容体と共役する能力を有し、該共役により受容体がら受けたシグナルを、Ｇｑを介するシグナル伝達経路、即ちフォスフォリパーゼＣのの活性化という形でさらに下流に伝達する能力を有するＧ蛋白質である。
好ましい態様としては、例えば、Ｇ１５やＧ１６（J. Biol. Chem., Vol.270, p.16175-16180, 1995）を挙げることができるが、この限りではない。
【００２７】
６．「Ｇ蛋白質を介した刺激により発現が誘導される遺伝子のプロモーター領域」
本発明における標記プロモーター領域としては、最初期遺伝子（immediate-early gene）のプロモーター領域が挙げられる。
本発明で用いられる最初期遺伝子のプロモーターとしては、例えば、c-fosプロモーター領域やzif268プロモーター領域（Proc. Natl. Acad. Sci. USA., Vol.86, p.377-381, 1989；「EGR-1」、「NGF1-A」、「Krox24」、「Tis8」または「cef5」とも称される。）が挙げられる。特に好ましい態様としては、zif268(EGR-1）プロモーター領域が挙げられる。また、本発明で使用されるプロモータとしてには、前記プロモーターの任意の動物種の対応物も包含される。
ここで「プロモーター領域」とは、プロモーター活性を発現するために必須な最小の塩基配列を含む任意の領域を意味しする。例えば、該遺伝子の転写部位に対して上流約500bp乃至約２kbの領域の一部または全部を用いることが可能である。
さらに本発明における標記プロモーター領域としては、ミニマルプロモーターの上流に転写因子結合配列であるSRE（serum response element）及び／またはCRE（cAMP response element）を有するプロモーター領域が挙げられる。
【００２８】
７．「レポーター遺伝子」
本発明における「レポーター遺伝子」は、検出可能な蛍光を発するレポーター蛋白質をコードする遺伝子を意味する。具体的には、例えば、蛍若しくはウミシイタケなどに由来するルシフェラーゼ、またはクラゲ由来のＧＦＰ（Green Fluorescence Protein）などを挙げることができる。さらには、例えば、βガラクトシダーゼをコードする遺伝子、クロラムフェニコールアセチルトランスフェラーゼをコードする遺伝子、及びβラクタマーゼをコードする遺伝子を挙げることができる。
【００２９】
８．「アゴニスト作用阻害物質」／「アゴニストのアゴニスト作用を阻害する物質」
本発明における標記物質は、アゴニストに直接作用してアゴニストの活性を阻害あるいは喪失させる物質を意味し、例えばアゴニストに対する抗体等を意味する。
【００３０】
９．「レポータージーンアッセイ」
本発明で言う「レポータージェーンアッセイ（reporter gene assay）」とは、下記のような方法を意味する。
本発明の一部である前記<9>乃至<13>に記載の細胞に、被験物質を接触させ、該化合物の作用に依存して発現されるレポーター蛋白質の量を、該蛋白質が発する蛍光の量を測定することにより間接的に測定することにより、該被験物質のＧ蛋白質共役型受容体との相互作用の有無を分析する方法である（例えば、米国特許第5,436,128号及び米国特許第5,401,629号を参照できる）。
また、該レポータージーンアッセイは、マニュアル作業でも可能であるが、機械（ロボット）を用いて自動で行う所謂ハイスループットスクリーニング（High Throughput Screening）（組織培養工学, Vol.23, No.13, p.521-524；米国特許第5,670,113号）を用いることによりより迅速、簡便に行うことができる。
【００３１】
１０．「物質」
本発明の方法により同定またはスクリーニングされる「物質」とは、自然界に存在する天然の物質（蛋白質、抗体、ペプチド、天然化合物など）あるいは人工的に調製される任意の物質を意味する。
具体的には、例えば、化学的に合成された任意の「化合物」を挙げることができる。該化合物の種類及び分子量などについては特に限定されないが、分子量について言えば、医薬品として用いられる可能性のある化合物の分子量は、分子量約50乃至約3000以下であり、さらに一般的には分子量約100乃至約2000であり、さらに一般的には分子量約100乃至約1000である。
該物質が、蛋白質、抗体またはペプチドである場合には、生体組織や細胞から単離されるもの、及び遺伝子組換えや化学的合成により調製されるものも包含する。さらにまた、それらの化学修飾体も包含する。
ペプチドとしては、例えば、約３乃至約500個のアミノ酸、好ましくは約３乃至約300個のアミノ酸、さらに好ましくは約３乃至約200個のアミノ酸からなるペプチドを挙げることができる。
【００３２】
以下に本発明で用いられる各種実験ツールの意味及び／またはその調製のための一般的な方法を例示する。しかしながら、本発明で用いられる該ツールは、下記に例示される方法で調製されるものに限定されるものではないことは言うまでもない。
（１）各種遺伝子のクローニング及び単離
本発明で用いられる各種遺伝子（例えば、所望のＧ蛋白質共役型受容体をコードする遺伝子、所望の蛋白質をコードする遺伝子、レポーター遺伝子、プロモーター領域など）は、いかなる方法で得られるものであってもよい。また、その取得においては、既知の塩基配列情報を用いることもできるし、また全く新たにクローニングすることもできる。   例えばｍＲＮＡから調製される相補ＤＮＡ（ｃＤＮＡ）、ゲノムＤＮＡから調製されるＤＮＡ、化学合成によって得られるＤＮＡ、ＲＮＡまたはＤＮＡを鋳型としてＰＣＲ法で増幅させて得られるＤＮＡ及びこれらの方法を適当に組み合わせて構築されるＤＮＡをも全て包含するものである。   本発明で用いられるある蛋白質をコードするＤＮＡは、常法に従って該蛋白質をコードするｍＲＮＡからｃＤＮＡをクローン化する方法、ゲノムＤＮＡを単離してスプライシング処理する方法、化学合成する方法等により取得することができる。
【００３３】
例えば、該蛋白質をコードするｍＲＮＡからｃＤＮＡをクローン化する方法としては、以下の方法が例示される。
まず、所望の蛋白質を発現・産生する前述のような組織あるいは細胞から該蛋白質をコードするｍＲＮＡを調製する。ｍＲＮＡの調製は、例えばグアニジンチオシアネート法（Chirgwinら、Biochemistry,Vol.18, p.5294, 1979）、熱フェノール法もしくはＡＧＰＣ法等の公知の方法を用いて調製した全ＲＮＡをオリゴ（ｄＴ）セルロースやポリＵ−セファロース等によるアフィニティクロマトグラフィーにかけることによって行うことができる。
【００３４】
次いで得られたｍＲＮＡを鋳型として、例えば逆転写酵素を用いる等の公知の方法、例えばオカヤマらの方法（Mol.Cell.Biol., Vol.2, p.161, 1982; Mol.Cell. Biol., Vol.3, p.280, 1983）やHoffmanらの方法（Gene, Vol.25, p.263, 1983）等によりｃＤＮＡ鎖を合成し、ｃＤＮＡの二本鎖ｃＤＮＡへの変換を行う。このｃＤＮＡをプラスミドベクター、ファージベクターまたはコスミドベクターに組み込み、大腸菌を形質転換して、あるいはインビトロパッケージング後、大腸菌に形質移入（トランスフェクト）することによりｃＤＮＡライブラリーを作製する。
【００３５】
ここで用いられるプラスミドベクターとしては、宿主内で複製保持されるものであれば特に制限されず、また用いられるファージベクターとしても宿主内で増殖できるものであれば良い。常法的に用いられるクローニング用ベクターとしてpUC19、λgt10、λgt11等が例示される。ただし、後述の免疫学的スクリーニングに供する場合は、宿主内で該蛋白質をコードする遺伝子を発現させうるプロモーターを有したベクターであることが好ましい。
【００３６】
プラスミドにｃＤＮＡを組み込む方法としては、例えばManiatisらの方法（Molecular Cloning, A Laboratory Manual, second edition, Cold Spring Harbor Laboratory, p.1.53, 1989）に記載の方法などが挙げられる。また、ファージベクターにｃＤＮＡを組み込む方法としては、Hyunhらの方法（DNA Cloning, a practical approach, Vol.1, p.49, 1985）などが挙げられる。簡便には、市販のクローニングキット（例えば、宝酒造製等）を用いることもできる。このようにして得られる組換えプラスミドやファージベクターは、原核細胞（例えば、E.coli: HB101, DH5αまたはMC1061/P3等）等の適当な宿主に導入する。
【００３７】
プラスミドを宿主に導入する方法としては、（Molecular Cloning, A Laboratory Manual, second edition, Cold Spring Harbor Laboratory, Vol.1.74, 1989）に記載の塩化カルシウム法または塩化カルシウム／塩化ルビジウム法、リポフェクション法、エレクトロポレーション法等が挙げられる。また、ファージベクターを宿主に導入する方法としてはファージＤＮＡをインビトロパッケージングした後、増殖させた宿主に導入する方法等が例示される。インビトロパッケージングは、市販のインビトロパッケージングキット（例えば、ストラタジーン製、アマシャム製等）を用いることによって簡便に行うことができる。
【００３８】
一方、例えば、ある種の刺激（例えば、サイトカインなどによる刺激）に依存して発現が増強される蛋白質をコードする遺伝子（cDNA）を取得する場合には、該刺激を与えた細胞由来のmRNAを基に作製したcDNAライブラリー（tester cDNA library）と未刺激の細胞由来のmRNAを基に作製したcDNAライブラリー（driver cDNA library）の２つのcDNAライブラリーを用い、例えば、抑制PCR効果（Nucleic Acids Res., Vol.23, p.1087-1088, 1995）を利用したサプレッションサブトラクトハイブリダイゼーション法（supression subtract hybridization (SSH)）（Proc. Natl. Acad. Sci. USA, Vol.93, p.6025-6030, 1996; Anal. Biochem., Vol.240, p.90-97, 1996）により同定することができる。
【００３９】
サブトラクションクローニングに必要なcDNAライブラリーの調製は、市販のキット、例えば、PCR-Select Subtraction Kit（CLONTECH製、カタログ番号：K1804-1）を用いることができる。実験操作は、該キットに添付の実験操作手順書に従って行うことができる。
【００４０】
具体的実験操作の一例を以下に概略する。
適切な刺激物質で刺激した細胞、及び未刺激の細胞の各々から、既報（Nucleic Acids Res., Vol.26, No.4, p.911-918, 1998）と同様にしてpolyA+RNAをする。次いで、各々のpolyA+RNA試料を基に逆転写酵素を用い常法に従ってcDNAを調製する。刺激した細胞から調製したcDNAをテスターcDNA（tester cDNA）として、また未刺激の細胞由来のcDNAをドライバーcDNA（driver cDNA）として用いる。
前記既報及び該市販のキットに添付の実験操作マニュアルに従って、テスターcDNAにドライバーcDNAを加えサブトラクションを行う。なお、サブトラクションの効率は、テスターcDNAに、コントロールとして適当な外来性DNAを少量加えることによりモニターする。サブトラクションの後、該外来性DNAを濃縮する。
サブトラクションされたcDNA（subtracted cDNA）を、常法に従って適当なプラスミド発現ベクター中にクローニングしプラスミドライブラリーを作製する。
【００４１】
既報と同様にして、該ライブラリーの多数のコロニーを、ディファレンシャルハイブリダイゼーション法によりスクリーニングする（Nucleic Acids Res., Vol.26, No.4, p.911-918, 1998; 臨床免疫, Vol.29, No.Suppl.17, p.451-459, 1997）。ここで、ハイブリダイゼーションプローブとしては、前記テスターcDNA及びドライバーcDNAの各々を放射性標識したものを用いることができる。なお、目的のDNAを含むクローンと前記外来性DNAを含むクローンの区別は、レプリカントフルターに該外来性DNAをハイブリダイズさせることにより行うことができる。
放射性標識ドライバーcDNAプローブよりも放射性標識テスターcDNAプローブに対してより強いシグナルを発するクローンを同定し、目的のcDNAまたはcDNA断片を得ることができる。
【００４２】
また、本発明における任意の蛋白質をコードするcDNAの単離は、他の一般的なｃDNAのスクリーニング法を用いることによっても行うことができる。
例えば、市販または既知のアミノ酸配列や塩基配列も基に独自に単離した該蛋白質をコードするcDNA若しくはcDNA断片、あるいは別個に化学合成した該蛋白質のアミノ酸配列に対応するオリゴヌクレオチドを32Ｐでラベルしてプローブとなし、公知のコロニーハイブリダイゼーション法（Crunsteinら, Proc. Natl. Acid. Sci. USA, Vol.72, p.3961, 1975）またはプラークハイブリダイゼーション法（Molecular Cloning, A Laboratory Manual, second edition , Cold Spring Harbor Laboratory, p.2.108, 1989）により、市販または所望に応じ独自に調製したcDNAライブラリーをスクリーニングすることにより取得することができる。
さらに、該蛋白質をコードするcDNA若しくはcDNA断片の塩基配列を基に一対のPCRプライマーを作製し、全長cDNAライブラリーを鋳型として該プライマーを用いたPCRにより該蛋白質をコードするcDNAを含むDNAを増幅する方法を挙げることができる。
【００４３】
cDNAを発現しうる発現ベクターを用いて作製したcDNAライブラリーを用いる場合には、該蛋白質に反応性を有する抗体を用いる抗原抗体反応を利用して、目的のクローンを選択することもできる。大量にクローンを処理する場合には、PCR法を利用したスクリーニング法を用いることが好ましい。
この様にして得られたＤＮＡの塩基配列はマキサム・ギルバート法（マキサム（Maxamら、Proc. Natl. Acad. Sci. USA., Vol.74, p.560, 1977）あるいはファージM13を用いたジデオキシヌクレオチド合成鎖停止の方法（Sangerら、Proc. Natl. Acad. Sci. USA., Vol.74, p.5463-5467, 1977）によって決定することができる。市販のDNAシークエンサーを用いると簡便に塩基配列を決定することが可能である。   本発明における任意の蛋白質をコードする遺伝子は、その全部または一部を上記のようにして得られるクローンから制限酵素等により切り出すことにより取得できる。
【００４４】
また、所望の蛋白質をコードする遺伝子を、該蛋白質を発現する細胞に由来するゲノムＤＮＡから単離することによる調製方法としては、例えば以下の方法が例示される。
該細胞を好ましくはＳＤＳまたはプロテナーゼＫ等を用いて溶解し、フェノールによる抽出を反復してＤＮＡの脱蛋白質を行う。ＲＮＡを好ましくはリボヌクレアーゼにより消化する。得られるＤＮＡを適当な制限酵素により部分消化し、得られるＤＮＡ断片を適当なファージまたはコスミドで増幅しライブラリーを作成する。そして目的の配列を有するクローンを、例えば放射性標識されたＤＮＡプローブを用いる方法等により検出し、該クローンから該蛋白質をコードする遺伝子の全部または一部を制限酵素等により切り出し取得する。
例えば、ヒト由来タンパクをコードするｃＤＮＡを取得する場合には、さらにヒトゲノムＤＮＡ（染色体ＤＮＡ）が導入されたコスミドライスラリーを作製（「ラボマニュアルヒトゲノムマッピング」、堀雅明及び中村祐輔  編、丸善  出版）し、該コスミドライブラリーをスクリーニングすることにより、該目的とする蛋白質のコーディング領域のＤＮＡを含む陽性クローンを得、該陽性クローンから切り出したコーディングＤＮＡをプローブとして用い、前述のｃＤＮＡライブラリーをスクリーニングすることにより調製することもできる。
【００４５】
（２）発現ベクターの調製及び該ベクターによる細胞の形質転換
上述した任意の蛋白質をコードする遺伝子のクローニングにおいて用いられるベクター、及び／または該蛋白質をコードする遺伝子を発現させるための発現ベクターとしては、原核細胞及び／または真核細胞の各種の宿主内で複製保持または自己増殖できるものであれば特に制限されず、プラスミドベクター及びファージベクターが包含される。但し、前述した本発明の<1>乃至<22>の実施においては、該蛋白質をコードする遺伝子が、前記で定義した「PC12由来細胞」中で発現可能なベクターに限られる。
【００４６】
当該組換えベクターは、簡便には当業界において入手可能な組換え用ベクター（プラスミドＤＮＡ及びバクテリアファージＤＮＡ）に該蛋白質コードするＤＮＡを常法により連結することによって調製することができる。
用いられる組換え用ベクターとして具体的には、大腸菌由来のプラスミドとして例えばpBR322、pBR325、pUC12、pUC13、pUC19など、酵母由来プラスミドとして例えばpSH19、pSH15など、枯草菌由来プラスミドとして例えばpUB110、pTP5、pC194 などが例示される。また、ファージとしては、λファージなどのバクテリオファージが、さらにレトロウイルス、ワクシニヤウイルス、核多角体ウイルスなどの動物や昆虫のウイルス（pVL1393、インビトロゲン製）が例示される。
【００４７】
該蛋白質をコードするＤＮＡを前記で定義した「PC12由来細胞」中で発現させる目的においては、発現ベクターが有用である。発現ベクターとしては、該細胞中で該遺伝子を発現する機能を有するものであれば特に制限されないが、例えば、pMAL C2 、pEF-BOS（ヌクレイックアシッドリサーチ（Nucleic Acid Research）、第１８巻、第５３２２頁、１９９０年等）あるいはpME18S（実験医学別冊「遺伝子工学ハンドブック」、１９９２年等）等を挙げることができる。
【００４８】
宿主として動物細胞を用いる場合、発現ベクターは少なくともプロモーター、開始コドン、目的の該蛋白質をコードするＤＮＡ、終止コドンを含んでいることが好ましい。またシグナルペプチドをコードするＤＮＡ、エンハンサー配列、該蛋白質をコードする遺伝子の５’側及び３’側の非翻訳領域、スプライシング接合部、ポリアデニレーション部位、選択マーカー領域または複製可能単位などを含んでいてもよい。また、目的に応じて通常用いられる遺伝子増幅遺伝子（マーカー）を含んでいてもよい。
好適な開始コドンとしては、メチオニンコドン（ATG）が例示される。
終止コドンとしては、常用の終止コドン（例えば、TAG、TGA、TAA）が例示される。
ターミネーター領域としては、通常用いられる天然または合成のターミネーターを用いることができる。
【００４９】
複製可能単位とは、宿主細胞中でその全ＤＮＡ配列を複製することができる能力をもつＤＮＡを言い、天然のプラスミド、人工的に修飾されたプラスミド（天然のプラスミドから調製されたＤＮＡフラグメント）及び合成プラスミド等が含まれる。例えば、E. coli ではプラスミドｐＢＲ３２２、もしくはその人工的修飾物（ｐＢＲ３２２を適当な制限酵素で処理して得られるＤＮＡフラグメント）が、また哺乳動物細胞ではプラスミドpRSVneo ATCC 37198、プラスミドpSV2dhfr ATCC 37145、プラスミドpdBPV-MMTneo ATCC 37224、プラスミドpSV2neo ATCC 37149等があげられる。
【００５０】
エンハンサー配列、ポリアデニレーション部位及びスプライシング接合部位については、当業者において通常使用されるものを用いることができる。
選択マーカーとしては、通常使用されるものを常法により用いることができる。例えば、ネオマイシン、テトラサイクリン、アンピシリン、ハイグロマイシン、またはカナマイシン等の抗生物質耐性遺伝子等が例示される。
【００５１】
遺伝子増幅遺伝子としては、ジヒドロ葉酸レダクターゼ（DHFR）遺伝子、チミジンキナーゼ遺伝子、ネオマイシン耐性遺伝子、グルタミン酸合成酵素遺伝子、アデノシンデアミナーゼ遺伝子、オルニチンデカルボキシラーゼ遺伝子、ヒグロマイシン−Ｂ−ホスホトランスフェラーゼ遺伝子、アスパルラートトランスカルバミラーゼ遺伝子等を例示することができる。
【００５２】
本発明で用いられる発現ベクターは、少なくとも、上述のプロモーター、開始コドン、所望の蛋白質をコードするＤＮＡ、終止コドン及びターミネーター領域を連続的かつ環状に適当な複製可能単位に連結することによって調製することができる。またこの際、所望により制限酵素での消化やT4 DNAリガーゼを用いるライゲーション等の常法により適当なＤＮＡフラグメント（例えば、リンカー、他の制限酵素切断部位など）を用いることができる。
【００５３】
本発明において調製される形質転換細胞は、上述の発現ベクターを宿主細胞（即ち、前記で定義した「PC12由来細胞」）に導入することにより調製することができる。
本発明において使用される細胞（野生型細胞、株化細胞、非形質転換細胞、形質転換細胞を含む）は、栄養培地で培養することによって生存、維持及び／または増殖させることができる。
栄養培地は、宿主細胞（形質転換体）の生育に必要な炭素源、無機窒素源もしくは有機窒素源を含でいることが好ましい。炭素源としては、例えばグルコース、デキストラン、可溶性デンプン、ショ糖などが、無機窒素源もしくは有機窒素源としては、例えばアンモニウム塩類、硝酸塩類、アミノ酸、コーンスチープ・リカー、ペプトン、カゼイン、肉エキス、大豆粕、バレイショ抽出液などが例示される。また所望により他の栄養素（例えば、無機塩（例えば塩化カルシウム、リン酸二水素ナトリウム、塩化マグネシウム）、ビタミン類、抗生物質（例えばテトラサイクリン、ネオマイシン、アンピシリン、カナマイシン等）など）を含んでいてもよい。
培養は当業界において知られている方法により行われる。培養条件、例えば温度、培地のｐＨ及び培養時間は適宜選択される。
宿主が動物細胞の場合には、培地として例えば約５〜20％の胎児牛血清を含むMEM培地（Science, Vol.122, p.501, 1952）、 DMEM培地（Virology, Vol.8, p.396, 1959）、RPMI1640培地（J. Am. Med. Assoc., Vol.199, p.519, 1967）、199培地（proc. Soc. Exp. Biol. Med., Vol.73, p.1, 1950）等を用いることができる。培地のpHは約６〜８に設定することができ、培養は通常約30〜40℃でなわれ、必要により通気や撹拌を行うこともできる。
【００５４】
（３）キメラ遺伝子の構築と発現ベクターの構築
本発明で用いられるキメラＧ蛋白質αサブユニット、例えば、ＧαiとＧαqからなるＧαqiをコードする遺伝子あるいはＧαiとＧαsからなるＧαsiをコードする遺伝子は、Ｇαq及びＧαsの各々をコードするmRNAの塩基配列を鋳型として下記一対のプライマーを用いたPCRにより調製することができる。
フォーワードプライマー：  Gq及びGsの各々のＮ末端アミノ酸配列をコードする塩基配列に相補的な塩基配列を有するプライマー。
リバースプライマー：  Gq及びGsの各々のＣ末端側のアミノ酸の一部をコードする塩基配列に相補的な塩基配列の下流にGiのＣ末端アミノ酸配列をコードする塩基配列に相補的な塩基配列を有するプライマー。
【００５５】
（４）レポーター遺伝子発現ベクター
前記で定義した本発明で用いられる各種のレポーター遺伝子は、上述したような既存の遺伝子クローニング法を用いてクローニングすることもできるが、該遺伝子が挿入された市販の発現ベクターを用いるのが簡便である。
【００５６】
（５）細胞の形質転換
本発明における宿主細胞（例えば、前記で定義した「PC12由来細胞」）の種々遺伝子発現ベクターによる形質転換は、上述した一般的な方法（例えばリポフェクション法あるいはエレクトロポレーション法など）により行うことができる。本発明で使用される形質転換体には、一過性形質転換体（transient transformant）あるいは安定形質転換体（stable transformant）のいずれもが包含される。
安定形質転換体は、前述したとおり、宿主細胞を種々のマーカー遺伝子（例えばネオマイシン耐性遺伝子等の薬剤耐性遺伝子）で形質転換し、次いで、該細胞を、該薬剤存在下で培養して該薬剤に耐性のクローンを選択することにより取得できる。
【００５７】
（６）Ｇ蛋白質共役型受容体のアゴニストを同定する方法
本発明の１つである下記発明（前記<1>）の態様の一例を挙げる。
前記<1>の発明は即ち下記のとおりである。
「ある物質が所望のＧ蛋白質共役型受容体のアゴニストであるか否かを決定する方法であって、下記（ａ）乃至（ｃ）の工程を含むことを特徴とする方法：
（ａ）少なくとも下記（１）及び（２）の外来性遺伝子：
（１）該所望のＧ蛋白質共役型受容体をコードする遺伝子；及び
（２）Ｇ蛋白質を介する刺激により発現が誘導される遺伝子のプロモーター領域に発現可能に連結されたレポーター遺伝子；
を有するＰＣ１２由来細胞の定数からなる試料に該物質を接触させる工程；
（ｂ）該物質に接触させた該試料中の各細胞において発現した該レポーター遺伝子が生ずる検出可能なシグナル、及び該物質に接触させていない該試料の各細胞において発現した該レポーター遺伝子が生ずる検出可能なシグナルの各々を定量的に決定する工程；及び、
（ｃ）工程（ｂ）で決定した該各々のシグナルの量を比較する工程。」
【００５８】
本発明は例えば、下記のように実施することができる。
▲１▼PC12由来細胞（例えば、PC12h細胞株）を下記(i)及び(ii)または(i)乃至(iii)の遺伝子が宿主細胞内で発現可能なように挿入された１または複数の発現ベクターで形質転換し、該全ての遺伝子が導入された形質転換細胞（好ましくは安定形形質転換細胞）を取得する。
i)ある所望のＧ蛋白質共役型受容体をコードする遺伝子（好ましくはcDNA）。  ii)Ｇ蛋白質を介するシグナルにより発現が誘導される遺伝子のプロモーター領域（好ましくは、zif268(EGR-1）プロモーター領域、c-fosプロモーター領域、またはSRE及び／またはCREを含むプロモーター領域）に発現可能に連結されたレポーター遺伝子（好ましくは、蛍若しくはウミシイタケなどに由来するルシフェラーゼ、クラゲ由来のＧＦＰ（Green Fluorescence Protein）、βーラクタマーゼをコードするcDNA）。
iii)GqのαサブユニットのＣ末端側のアミノ酸配列であって3位のグリシンを含む約３乃至約23個（好ましくは9個）の連続するアミノ酸配列を、GiのαサブユニットのＣ末端側の対応するアミノ酸配列で置換して得られるキメラＧ蛋白質αサブユニットをコードする遺伝子（好ましくは、cDNA）。
【００５９】
▲２▼得られた該形質転換細胞の定数（例えば、１〜1×1010個、以下好ましい順に、1×101〜1×109個、1×102〜1×108個、1×103〜1×107個、1×104〜1×107個、1×104〜1×106個、1×104〜5×105個）を所望の細胞培養が可能な器具（例えば、シャーレ、多数のウェルを有するマイクロプレート、マイクロチューブなど）を用いて所望の試薬（例えば、血清、抗生物質など）を含む所望の栄養培地（例えば、D-MEM培地など）中で培養する。この定数の細胞からなる試料を、少なくとも2セット以上準備する。
▲３▼前記の試料の少なくとも１つに試験しようとする物質（例えば、化合物）の所望の濃度（例えば、約1.0pM〜約1.0M、以下好ましい順で、約10.0pM〜約100mM、約100pM〜約10mM、約1.0nM〜約1.0mM、約10nM〜約500μM、約100nM〜約500μM）を加え約37℃前後で所望の時間（例えば、約１〜24時間）培養する。
【００６０】
▲４▼前記で該物質の存在下で培養した細胞試料に含まれる細胞を、所望の細胞溶解試薬で細胞溶解し、該試料の細胞溶解液の一定量中に含まれるルシフェラーゼの量を市販のルシフェラーゼ活性測定装置を用いて定量的に決定し、測定値[A]を得る。
また、該物質を加えないで培養した前記▲２▼の細胞試料中に含まれる細胞についても、同様にして細胞溶解し、細胞溶解液の一定量中に含まれるルシフェラーゼの量を市販のルシフェラーゼ活性測定装置を用いて定量的に決定し、測定値[B]を得る。
▲５▼測定値[A]と測定値[B]を比較し、その差違の程度に基づいて、該物質が該Ｇ蛋白質共役型受容体のアゴニストであるか否か（該受容体との相互作用の有無）を決定する。
【００６１】
（７）Ｇ蛋白質共役型受容体のアゴニストを同定するために物質をスクリーニングする方法
本発明の１つである下記発明（前記<2>）の態様の一例を挙げる。
前記<2>の発明は即ち下記のとおりである。
「所望のＧ蛋白質共役型受容体のアゴニストを同定するために物質をスクリーニングする方法であって、下記（ａ）乃至（ｃ）の工程を含むことを特徴とする方法：
（ａ）少なくとも下記（１）及び（２）の外来性遺伝子：
（１）該所望のＧ蛋白質共役型受容体をコードする遺伝子；及び
（２）Ｇ蛋白質を介する刺激により発現が誘導される遺伝子のプロモーター領域に発現可能に連結されたレポーター遺伝子；
を有するＰＣ１２由来細胞の定数からなる試料の複数を準備し、該試料の各々に異なる物質を接触させる工程；
（ｂ）工程（ａ）で該物質に接触させた各々の試料について、該試料中の各細胞において発現した該レポーター遺伝子が生ずる検出可能なシグナルを、及びいずれの物質にも接触させていない該試料の各細胞において発現した該レポーター遺伝子が生ずる検出可能なシグナルの各々を定量的に決定する工程；及び、
（ｃ）工程（ｂ）で決定した該各々のシグナルの量を比較する工程。」
【００６２】
本発明は例えば、下記のように実施することができる。
▲１▼PC12由来細胞（例えば、PC12h細胞株）を下記(i)及び(ii)または(i)乃至(iii)の遺伝子が宿主細胞内で発現可能なように挿入された１または複数の発現ベクターで形質転換し、該全ての遺伝子が導入された形質転換細胞（好ましくは安定形形質転換細胞）を取得する。
i)ある所望のＧ蛋白質共役型受容体をコードする遺伝子（好ましくはcDNA）。
ii)Ｇ蛋白質を介するシグナルにより発現が誘導される遺伝子のプロモーター領域（好ましくは、zif268(EGR-1）プロモーター領域、c-fosプロモーター領域、またはSRE及び／またはCREを含むプロモーター領域）に発現可能に連結されたレポーター遺伝子（好ましくは、蛍若しくはウミシイタケなどに由来するルシフェラーゼ、クラゲ由来のＧＦＰ（Green Fluorescence Protein）、βーラクタマーゼをコードするcDNA）。
iii)GqのαサブユニットのＣ末端側のアミノ酸配列であって3位のグリシンを含む約３乃至約23個（好ましくは9個）の連続するアミノ酸配列を、GiのαサブユニットのＣ末端側の対応するアミノ酸配列で置換して得られるキメラＧ蛋白質αサブユニットをコードする遺伝子（好ましくは、cDNA）。
【００６３】
▲２▼得られた該形質転換細胞の定数（例えば、１〜1×1010個、以下好ましい順に、1×101〜1×109個、1×102〜1×108個、1×103〜1×107個、1×104〜1×107個、1×104〜1×106個、1×104〜5×105個）を、多数のウェル（例えば、24穴、48穴、96穴、364穴など）を有するマイクロプレートの各々のウェルに蒔き、該細胞を所望の試薬（例えば、血清、抗生物質など）を含む所望の栄養培地（例えば、D-MEM培地など）中で培養する。（以下、各ウェルにセットされた定数の細胞群を、試料と称する。）
▲３▼マイクロプレートの各ウェルにセットされた複数の試料の各々に、各々異なる試験しようとする物質（例えば、化合物）の所望の濃度（例えば、約1.0pM〜約1.0M、以下好ましい順で、約10.0pM〜約100mM、約100pM〜約10mM、約1.0nM〜約1.0mM、約10nM〜約500μM、約100nM〜約500μM）を加え、約37℃前後で所望の時間（例えば、約１〜24時間）培養する。
【００６４】
▲４▼次いで、各々異なる試験物質の存在下で培養した各試料に、所望の細胞溶解試薬を加えて細胞を溶解し、該各々の試料の細胞溶解液の一定量中に含まれるルシフェラーゼの量を市販のルシフェラーゼ活性測定装置を用いて定量的に決定し、各々の試料について複数の測定値[A]、[B]、[C]、[D]、[E]・・・・[X]を得る。
また、該物質を加えないで培養した前記▲２▼の細胞試料中に含まれる細胞についても、同様にして細胞溶解し、細胞溶解液の一定量中に含まれるルシフェラーゼの量を市販のルシフェラーゼ活性測定装置を用いて定量的に決定し、１または複数の測定値[Control]を得る。
▲５▼複数の測定値[A] 、[B]、[C]、[D]、[E]・・・・[X]の各々を、測定値[Control]と比較し、その差違の程度に基づいて、該Ｇ蛋白質共役型受容体のアゴニストである（該受容体と相互作用する）物質を選別、同定する。
【００６５】
（８）Ｇ蛋白質共役型受容体のアンタゴニストまたはアゴニスト作用阻害物質を同定する方法
本発明の１つである下記発明（前記<3>）の態様の一例を挙げる。
前記<3>の発明は即ち下記のとおりである。
「ある物質が所望のＧ蛋白質共役型受容体のアンタゴニストであるか否か、または該Ｇ蛋白質共役型受容体のアゴニストのアゴニスト作用の阻害物質であるか否かを決定する方法であって、下記（ａ）乃至（ｃ）の工程を含むことを特徴とする方法：
（ａ）少なくとも下記（１）及び（２）の外来性遺伝子：
（１）該所望のＧ蛋白質共役型受容体をコードする遺伝子；及び
（２）Ｇ蛋白質を介する刺激により発現が誘導される遺伝子のプロモーター領域に発現可能に連結されたレポーター遺伝子；
を有するＰＣ１２由来細胞の定数からなる試料に該Ｇ蛋白質受容体のアゴニスト及び該物質を接触させる工程；
（ｂ）該物質に接触させた該試料中の各細胞において発現した該レポーター遺伝子が生ずる検出可能なシグナル、及び該物質に接触させていない該試料の各細胞において発現した該レポーター遺伝子が生ずる検出可能なシグナルの各々を定量的に決定する工程；及び、
（ｃ）工程（ｂ）で決定した該各々のシグナルの量を比較する工程。」
【００６６】
本発明は例えば、下記のように実施することができる。
▲１▼PC12由来細胞（例えば、PC12h細胞株）を下記(i)及び(ii)または(i)乃至(iii)の遺伝子が宿主細胞内で発現可能なように挿入された１または複数の発現ベクターで形質転換し、該全ての遺伝子が導入された形質転換細胞（好ましくは安定形形質転換細胞）を取得する。
i)ある所望のＧ蛋白質共役型受容体をコードする遺伝子（好ましくはcDNA）。
ii)Ｇ蛋白質を介するシグナルにより発現が誘導される遺伝子のプロモーター領域（好ましくは、zif268(EGR-1）プロモーター領域、c-fosプロモーター領域、またはSRE及び／またはCREを含むプロモーター領域）に発現可能に連結されたレポーター遺伝子（好ましくは、蛍若しくはウミシイタケなどに由来するルシフェラーゼ、クラゲ由来のＧＦＰ（Green Fluorescence Protein）、βーラクタマーゼをコードするcDNA）。
iii)GqのαサブユニットのＣ末端側のアミノ酸配列であって3位のグリシンを含む約３乃至約23個（好ましくは9個）の連続するアミノ酸配列を、GiのαサブユニットのＣ末端側の対応するアミノ酸配列で置換して得られるキメラＧ蛋白質αサブユニットをコードする遺伝子（好ましくは、cDNA）。
【００６７】
▲２▼得られた該形質転換細胞の定数（例えば、１〜1×1010個、以下好ましい順に、1×101〜1×109個、1×102〜1×108個、1×103〜1×107個、1×104〜1×107個、1×104〜1×106個、1×104〜5×105個）を所望の細胞培養が可能な器具（例えば、シャーレ、多数のウェルを有するマイクロプレート、マイクロチューブなど）を用いて所望の試薬（例えば、血清、抗生物質など）を含む所望の栄養培地（例えば、D-MEM培地など）中で培養する。この定数の細胞からなる試料を、少なくとも2セット以上準備する。
【００６８】
▲３▼前記▲２▼の試料の少なくとも１つ下記(i)及び(ii)を加え、約37℃前後で所望の時間（例えば、約１〜24時間）培養する。
i)該G蛋白質共役型受容体の既知のアゴニストの所望の濃度（例えば、約1.0pM〜約1.0M、以下好ましい順で、約10.0pM〜約100mM、約100pM〜約10mM、約1.0nM〜約1.0mM、約10nM〜約500μM、約100nM〜約500μM）。
ii)試験しようとする物質（例えば、化合物）の所望の濃度（例えば、約1.0pM〜約1.0M、以下好ましい順で、約10.0pM〜約100mM、約100pM〜約10mM、約1.0nM〜約1.0mM、約10nM〜約500μM、約100nM〜約500μM）。
【００６９】
▲４▼前記▲２▼の試料の少なくとも１つ下記(i)を加え、約37℃前後で所望の時間（例えば、約１〜24時間）培養する。
i)該G蛋白質共役型受容体の既知のアゴニストの所望の濃度（例えば、約1.0pM〜約1.0M、以下好ましい順で、約10.0pM〜約100mM、約100pM〜約10mM、約1.0nM〜約1.0mM、約10nM〜約500μM、約100nM〜約500μM）。
▲５▼前記▲３▼及び▲４▼で培養した各々の試料に、所望の細胞溶解試薬で細胞溶解し、該各々の試料の細胞溶解液の一定量中に含まれるルシフェラーゼの量を市販のルシフェラーゼ活性測定装置を用いて定量的に決定する。前記▲３▼の試料について測定値[A]を得、また前記▲４▼の試料について測定値[B]を得る。
また、該アゴニスト及び該試験物質のいずれをもを加えないで培養した前記▲２▼の細胞試料中に含まれる細胞についても、同様にして細胞溶解し、細胞溶解液の一定量中に含まれるルシフェラーゼの量を市販のルシフェラーゼ活性測定装置を用いて定量的に決定し、測定値[C]を得る。
▲６▼測定値[A]、[B]及び[C]を比較し、その差違の程度に基づいて、該物質が該Ｇ蛋白質共役型受容体のアンタゴニストであるか否か、または該物質が該アゴニストのアゴニスト作用を阻害する活性を有する物質であるか否かを決定する。
【００７０】
（９）Ｇ蛋白質共役型受容体のアンタゴニストまたはアゴニスト作用阻害物質を同定するために物質をスクリーニングする方法
本発明の１つである下記発明（前記<4>）の態様の一例を挙げる。
前記<4>の発明は即ち下記のとおりである。
「所望のＧ蛋白質共役型受容体のアンタゴニストまたは該Ｇ蛋白質共役型受容体のアゴニストのアゴニスト作用の阻害物質を同定するために物質をスクリーニングする方法であって、下記（ａ）乃至（ｃ）の工程を含むことを特徴とする方法：
（ａ）少なくとも下記（１）及び（２）の外来性遺伝子：
（１）該所望のＧ蛋白質共役型受容体をコードする遺伝子；及び
（２）Ｇ蛋白質を介する刺激により発現が誘導される遺伝子のプロモーター慮域に発現可能に連結されたレポーター遺伝子；
を有するＰＣ１２由来細胞の定数からなる試料の複数を準備し、該試料の各々に該該Ｇ蛋白質受容体のアゴニストと異なる物質を接触させる工程；
（ｂ）工程（ａ）で該物質に接触させた各々の試料について、該試料中の各細胞において発現した該レポーター遺伝子が生ずる検出可能なシグナルを、及びいずれの物質にも接触させていない該試料の各細胞において発現した該レポーター遺伝子が生ずる検出可能なシグナルの各々を定量的に決定する工程；及び、
（ｃ）工程（ｂ）で決定した該各々のシグナルの量を比較する工程。」
【００７１】
本発明は例えば、下記のように実施することができる。
▲１▼PC12由来細胞（例えば、PC12h細胞株）を下記(i)及び(ii)または(i)乃至(iii)の遺伝子が宿主細胞内で発現可能なように挿入された１または複数の発現ベクターで形質転換し、該全ての遺伝子が導入された形質転換細胞（好ましくは安定形形質転換細胞）を取得する。
i)ある所望のＧ蛋白質共役型受容体をコードする遺伝子（好ましくはcDNA）。  ii)Ｇ蛋白質を介するシグナルにより発現が誘導される遺伝子のプロモーター領域（好ましくは、zif268(EGR-1）プロモーター領域、c-fosプロモーター領域、またはSRE及び／またはCREを含むプロモーター領域）に発現可能に連結されたレポーター遺伝子（好ましくは、蛍若しくはウミシイタケなどに由来するルシフェラーゼ、クラゲ由来のＧＦＰ（Green Fluorescence Protein）、βーラクタマーゼをコードするcDNA）。
iii)GqのαサブユニットのＣ末端側のアミノ酸配列であって3位のグリシンを含む約３乃至約23個（好ましくは9個）の連続するアミノ酸配列を、GiのαサブユニットのＣ末端側の対応するアミノ酸配列で置換して得られるキメラＧ蛋白質αサブユニットをコードする遺伝子（好ましくは、cDNA）。
【００７２】
▲２▼得られた該形質転換細胞の定数（例えば、１〜1×1010個、以下好ましい順に、1×101〜1×109個、1×102〜1×108個、1×103〜1×107個、1×104〜1×107個、1×104〜1×106個、1×104〜5×105個）を、多数のウェル（例えば、24穴、48穴、96穴、364穴など）を有する１または複数（好ましくは複数）のマイクロプレートの各々のウェルに蒔き、該細胞を所望の試薬（例えば、血清、抗生物質など）を含む所望の栄養培地（例えば、D-MEM培地など）中で培養する。（以下、各ウェルにセットされた定数の細胞群を、試料と称する。）
▲３▼マイクロプレートの各ウェルにセットされた複数の試料の一部または全部の各々に、下記(i)及び(ii)を加えて、約37℃前後で所望の時間（例えば、約１〜24時間）培養する。
i)該G蛋白質共役型受容体の既知のアゴニストの所望の濃度（例えば、約1.0pM〜約1.0M、以下好ましい順で、約10.0pM〜約100mM、約100pM〜約10mM、約1.0nM〜約1.0mM、約10nM〜約500μM、約100nM〜約500μM）。
ii)各試料に対して各々異なる試験しようとする物質（例えば、化合物）の所望の濃度（例えば、約1.0pM〜約1.0M、以下好ましい順で、約10.0pM〜約100mM、約100pM〜約10mM、約1.0nM〜約1.0mM、約10nM〜約500μM、約100nM〜約500μM）。
【００７３】
▲４▼前記▲３▼の試験に用いたマイクロプレートとは別の前記▲２▼のマイクロプレートの各ウェルにセットされた各々の試料、または前記▲３▼のマイクロプレートにセットされた試料であって前記▲３▼の試験に使用しなかった残りのウェルにセットさいれた試料の各々前記にセットされた複数の試料の各々に、下記(i)を加えて、約37℃前後で所望の時間（例えば、約１〜24時間）培養する。
i)該G蛋白質共役型受容体の既知のアゴニストの所望の濃度（例えば、約1.0pM〜約1.0M、以下好ましい順で、約10.0pM〜約100mM、約100pM〜約10mM、約1.0nM〜約1.0mM、約10nM〜約500μM、約100nM〜約500μM）。
【００７４】
▲５▼前記▲３▼及び▲４▼で培養した各々の試料に、所望の細胞溶解試薬で細胞溶解し、該各々の試料の細胞溶解液の一定量中に含まれるルシフェラーゼの量を市販のルシフェラーゼ活性測定装置を用いて定量的に決定する。前記▲３▼の試料について測定値[A]、[B]、[C]、[D]、[E]・・・・[X]を得、また前記▲４▼の試料について測定値[A']、[B']、[C']、[D']、[E']・・・・[X']を得る。
また、該アゴニスト及び該試験物質のいずれをもを加えないで培養した前記▲２▼の細胞試料中に含まれる細胞についても、同様にして細胞溶解し、細胞溶解液の一定量中に含まれるルシフェラーゼの量を市販のルシフェラーゼ活性測定装置を用いて定量的に決定し、１または複数の測定値[Control]を得る。
▲６▼複数の測定値[A] 、[B]、[C]、[D]、[E]・・・・[X]の各々を、測定値[A']、[B']、[C']、[D']、[E']・・・・[X']、及び測定値[Control]と比較し、その差違の程度に基づいて、該Ｇ蛋白質共役型受容体のアンタゴニストである物質、または該アゴニストのアゴニスト作用を阻害する活性を有する物質を選別、同定する。
【００７５】
（10）ある物質と相互作用する受容体（例えば、Ｇ蛋白質共役型受容体）を同定する方法
本発明の１つである下記発明（前記<14>乃至<16>）の態様の一例を挙げる。
【００７６】
前記<14>の発明は即ち下記のとおりである。
「ある物質と相互作用する受容体を同定する方法であって、下記（ａ）乃至（ｄ）の工程を含むことを特徴とする方法（ここで、該物質は該受容体に対してアゴニストとして作用する。）：
（ａ）少なくとも下記（１）及び（２）の外来性遺伝子：
（１）蛋白質をコードする１または複数の遺伝子；及び
（２）Ｇ蛋白質を介する刺激により発現が誘導される遺伝子のプロモーター領域に発現可能に連結されたレポーター遺伝子；
を有するＰＣ１２由来細胞からなる試料の複数を準備し、該試料の各々に該物質を接触させる工程（ここで、該各々の試料中の該細胞は、試料毎に互いに異なる前記（１）の遺伝子を有する。）；
（ｂ）工程（ａ）で該物質に接触させた各々の試料について、該試料中の各細胞において発現した該レポーター遺伝子が生ずる検出可能なシグナルを、及び所望に応じて該物質に接触させていない該各々の試料の各細胞において発現した該レポーター遺伝子が生ずる検出可能なシグナルの各々を定量的に決定する工程；
（ｃ）工程（ｂ）で決定した該各々試料についてのシグナルの量を互いに比較し、工程（ａ）で試験された該複数の試料から１または複数の試料を選択する工程；及び
（ｄ）該選択された試料中の細胞が有する工程（ａ）の（１）に記載の該蛋白質をコードする遺伝子を塩基配列を決定する工程。」
【００７７】
前記<15>の発明は即ち下記のとおりである。
「ある物質と相互作用する受容体を同定する方法であって、下記（ａ）乃至（ｆ）の工程を含むことを特徴とする方法（ここで、該物質は該受容体に対してアゴニストとして作用する。）：
（ａ）少なくとも下記（１）及び（２）の外来性遺伝子：
（１）蛋白質をコードする１または複数の遺伝子；及び
（２）Ｇ蛋白質を介する刺激により発現が誘導される遺伝子のプロモーター領域に発現可能に連結されたレポーター遺伝子；
を有するＰＣ１２由来細胞からなる試料の複数を準備し、該試料の各々に該物質を接触させる工程（ここで、該各々の試料中の該細胞は、試料毎に互いに異なる前記（１）の遺伝子を有する。）；
（ｂ）工程（ａ）で該物質に接触させた各々の試料について、該試料中の各細胞において発現した該レポーター遺伝子が生ずる検出可能なシグナルを、及び所望に応じて該物質に接触させていない該各々の試料の各細胞において発現した該レポーター遺伝子が生ずる検出可能なシグナルの各々を定量的に決定する工程；
（ｃ）工程（ｂ）で決定した該各々試料についてのシグナルの量を互いに比較し、工程（ａ）で試験された該複数の試料から１または複数の試料を選択する工程；
（ｄ）少なくとも下記（１）及び（２）の外来性遺伝子：
（１）工程（ｃ）で選択された該試料中の細胞が有する外来性遺伝子であって、工程（ａ）の（１）に記載の該蛋白質をコードする１または複数の遺伝子；及び
（２）Ｇ蛋白質を介する刺激により発現が誘導される遺伝子のプロモーター領域に発現可能に連結されたレポーター遺伝子；
を有するＰＣ１２由来細胞からなる試料の複数を準備し、該試料の各々に該物質を接触させる工程（ここで、該各々の試料中の該細胞は、試料毎に互いに異なる前記（１）の遺伝子を有する。）；
（ｅ）工程（ｄ）で該物質に接触させた各々の試料について、該試料中の各細胞において発現した該レポーター遺伝子が生ずる検出可能なシグナルを、及び所望に応じて該物質に接触させていない該各々の試料の各細胞において発現した該レポーター遺伝子が生ずる検出可能なシグナルの各々を定量的に決定する工程；
（ｆ）工程（ｅ）で決定した該各々試料についてのシグナルの量を互いに比較し、工程（ｄ）で試験された該複数の試料から１または複数の試料を選択する工程；及び
（ｇ）該選択された試料中の細胞が有する工程（ｄ）の（１）に記載の該蛋白質をコードする遺伝子を塩基配列を決定する工程。」
【００７８】
前記<16>の発明は即ち下記のとおりである。
「該方法が、所望に応じ前記工程（ｆ）と工程（ｇ）の間に、前記工程（ｄ）乃至（ｆ）からなる同様の操作の１乃至複数回を含むことを特徴とする前記<15>に記載の方法。」
【００７９】
本発明は例えば、下記のように実施することができる。
▲１▼PC12由来細胞（例えば、PC12h細胞株）を下記(i)及び(ii)または(i)乃至(iii)の遺伝子が宿主細胞内で発現可能なように挿入された１または複数の発現ベクターで形質転換し、該全ての遺伝子が導入された形質転換細胞（好ましくは安定形形質転換細胞）であって、該形質転換細胞は、細胞毎に各々異なる下記(i)の遺伝子を有する複数種類の形質転換細胞を調製する。
i)任意の蛋白質をコードする１または複数の遺伝子（好ましくはcDNA）。具体的には、例えば、ヒト由来の種々の蛋白質の全長アミノ酸配列をコードする多種のcDNAからなるcDNAライブラリー中の１または複数種類からなるcDNAまたはcDNA群。
ii)Ｇ蛋白質を介するシグナルにより発現が誘導される遺伝子のプロモーター領域（好ましくは、zif268(EGR-1）プロモーター領域、c-fosプロモーター領域、またはSRE及び／またはCREを含むプロモーター領域）に発現可能に連結されたレポーター遺伝子（好ましくは、蛍若しくはウミシイタケなどに由来するルシフェラーゼ、クラゲ由来のＧＦＰ（Green Fluorescence Protein）、βーラクタマーゼをコードするcDNA）。
iii)GqのαサブユニットのＣ末端側のアミノ酸配列であって3位のグリシンを含む約３乃至約23個（好ましくは9個）の連続するアミノ酸配列を、GiのαサブユニットのＣ末端側の対応するアミノ酸配列で置換して得られるキメラＧ蛋白質αサブユニットをコードする遺伝子（好ましくは、cDNA）。
【００８０】
▲２▼得られた複数種類の該形質転換細胞の各々の定数（例えば、１〜1×1010個、以下好ましい順に、1×101〜1×109個、1×102〜1×108個、1×103〜1×107個、1×104〜1×107個、1×104〜1×106個、1×104〜5×105個）を、多数のウェル（例えば、24穴、48穴、96穴、364穴など）を有するマイクロプレートの各々のウェルに蒔き、該細胞を所望の試薬（例えば、血清、抗生物質など）を含む所望の栄養培地（例えば、D-MEM培地など）中で培養する。即ち、各ウェルには、各々異なる前記(i)の遺伝子を有する細胞がセットされる。（以下、各ウェルにセットされた定数の細胞群を、試料と称する。）
▲３▼マイクロプレートの各ウェルにセットされた複数の試料の各々に、所望の試験しようとする物質（例えば、化合物）の所望の濃度（例えば、約1.0pM〜約1.0M、以下好ましい順で、約10.0pM〜約100mM、約100pM〜約10mM、約1.0nM〜約1.0mM、約10nM〜約500μM、約100nM〜約500μM）を加え、約37℃前後で所望の時間（例えば、約１〜24時間）培養する。
【００８１】
▲４▼次いで、該試験物質の存在下で培養した各々の試料に、所望の細胞溶解試薬を加えて細胞を溶解し、該各々の試料の細胞溶解液の一定量中に含まれるルシフェラーゼの量を市販のルシフェラーゼ活性測定装置を用いて定量的に決定し、各々の試料について複数の測定値[A]、[B]、[C]、[D]、[E]・・・・[X]を得る。
また、所望に応じて、該物質を加えないで培養した前記▲２▼の各々の細胞試料中に含まれる細胞についても、同様にして細胞溶解し、細胞溶解液の一定量中に含まれるルシフェラーゼの量を市販のルシフェラーゼ活性測定装置を用いて定量的に決定し、１または複数の測定値[Control]を得る。
▲５▼複数の測定値[A] 、[B]、[C]、[D]、[E]・・・・[X]の各々を互いに比較し、その差違の程度に基づいて、該物質と相互作用すると認められる試料を選別、同定する。また、この選別、同定においては、所望に応じて、該複数の測定値[A] 、[B]、[C]、[D]、[E]・・・・[X]の各々を測定値[Control]と比較して得られる知見も参考にすることができる。
【００８２】
▲６▼前記▲５▼で選別された試料が１乃至数種類である場合には、各々の試料中について、該各々の試料中に含まれる細胞中に導入されている前記▲１▼の(i)の遺伝子の塩基配列を決定し、該塩基配列に基づいて、該物質と相互作用した該(i)の遺伝子を特定することができる。
▲７▼前記▲５▼で選別された試料が、多数の種類ある場合には、当該選別された各々の試料について、該試料中の細胞に対して導入された前記▲１▼の(i)の遺伝子の種類の情報を基に、前記▲１▼乃至▲５▼と同様の操作を繰り返した後に前記▲６▼操作を行うことにより該物質と相互作用した該(i)の遺伝子を特定することができる。
即ち、例えば、前記▲５▼で下記10種類の試料が同定された場合を例に挙げると下記のような操作を行うことができる。
(1)選別された試料１：前記▲１▼の(i)で細胞に導入された遺伝子：  遺伝子A,B,C
(2)選別された試料２：前記▲１▼の(i)で細胞に導入された遺伝子：  遺伝子A,D,E
(3)選別された試料３：前記▲１▼の(i)で細胞に導入された遺伝子：  遺伝子A,F,G
(4)選別された試料４：前記▲１▼の(i)で細胞に導入された遺伝子：  遺伝子A,H,I
(5)選別された試料５：前記▲１▼の(i)で細胞に導入された遺伝子：  遺伝子A,J,K
(6)選別された試料６：前記▲１▼の(i)で細胞に導入された遺伝子：  遺伝子A,L,M
(7)選別された試料７：前記▲１▼の(i)で細胞に導入された遺伝子：  遺伝子A,N,O
(8)選別された試料８：前記▲１▼の(i)で細胞に導入された遺伝子：  遺伝子A,P,Q
(9)選別された試料９：前記▲１▼の(i)で細胞に導入された遺伝子：  遺伝子A,R.S
(10)選別された試料10：前記▲１▼の(i)で細胞に導入された遺伝子：  遺伝子A,T,U
【００８３】
上記のような場合には、前記▲１▼の(i)の遺伝子を、遺伝子A, B, C, D, E, F, G, H, I, J, K, L, M, N, O, P, Q, R, S, T,及びUに限定する。次いで、これらの遺伝子から選ばれる１または複数を前記▲１▼と同様にしてPC12由来細胞に導入する。以下、前記▲１▼乃至▲５▼と同様の操作を繰り返し行う。
【００８４】
以下、実施例を以って本発明をさらに詳細に説明するが、本発明が該実施例に記載される態様のみに限定されるものではないことは言うまでもない。
【００８５】
【実施例】
実施例１
Ｈ１ヒスタミン受容体発現ベクターの構築
Ｈ１ヒスタミン受容体（pME-H1R）の発現ベクターを以下のようにして構築した。なお、以下「受容体」をレセプターと称することもある。
ウシ脳由来cDNA（Bovine QUICK-Clone cDNA; CLONTECH製）を鋳型としてプライマーＦ３（5'-GCGAATTCCAATGACCTGTCCCAACTCC-3'）及びプライマーＲ３（5'-GCGCGGCCGCAGGCTTCCTCCTTCACTTCC-3'）を用いてＰＣＲを行い、Ｈ１ヒスタミン受容体のコーディング領域を含むＤＮＡ断片を増幅し、得られたＤＮＡ断片を制限酵素EcoRI及びNotIにて消化した。発現ベクターpME18S（Mol. Cell. Biol., Vol.8, p.466, 1988)を制限酵素EcoRi及びNotIにて消化し、上記のＤＮＡ断片をpME18Sにクローン化した。
本実験及び以後の全ての実験においてベクターへＰＣＲ断片をクローン化した後シークエンスを確認した。
【００８６】
実施例２
グルカゴン様ペプチド受容体発現ベクターの構築
グルカゴン様ペプチド（GLP1）受容体（pEF-GLPR）発現ベクターを以下のようにして構築した。
ヒト膵臓由来cDNA（Human Pancreas QUICK-Clone cDNA; CLONTECH製）を鋳型として、プライマーＦ４（5'-GCGAATTCCCAGTCCTGAACTCC-3'）及びプライマーＲ４（5'-CGCTCGAGTCTCAGCTGCAGGAGG-3'）を用いてＰＣＲを行い、増幅したＤＮＡ断片を制限酵素EcoRI及びXhoIにて消化し、GLP1受容体のコーディング領域を含むＤＮＡ断片を得た。得られたＤＮＡ断片を、pCRII（TA Cloning Kit; Invitrogen製）のEcoRI-XhoIサイトにクローン化（pIT101）した。ついで、pIT101をSpeI及びXbaIで消化し（両制限酵素サイトはpCRII由来）、得られたＤＮＡ断片を、pEF-BOS（特開平2-242687号）のXbaI-XbaIサイトにクローン化した。
【００８７】
実施例３
アドレナリンα２Ａ受容体発現ベクターの構築
アドレナリンα２Ａ受容体（pME-α2AR）の発現ベクターを以下のように構築した。
アドレナリンα２Ａ受容体遺伝子を、ATCC(American Type Culture Collection）から入手し、以下の手順でそのコーディング領域をｐME18S発現ベクターに組み込んだ。
すなわち、α２Ａのコーディング領域の上流（5'）側を制限酵素PvuII及びSacIで消化し、このＤＮＡ断片をpBluescript IIのSmaI-SacIサイトにクローン化した（pBlue-α2A5'）。
また、α２Ａのコーディング領域の下流（3'）側を制限酵素AccIで消化し、上記の上流側と一部オーバーラップするＤＮＡ断片を得、これをpBluescript IIのAccIサイトにクローン化した（pBlue-α2A3'）。
ついで、pBlue-α2A5'を制限酵素EcoRI（ベクター上の制限酵素サイト）及びFspI（α２Ａコーディング上の制限酵素サイト）で消化し、α２Ａのコーディング領域の上流（5'）側のＤＮＡ断片を得た。一方、pBlue-α2A3'を制限酵素FspI（pBlue-α2A5'のα２Ａコーディング上と同一位置の制限酵素サイト）及びNotI（ベクター上の制限酵素サイト）で消化し、α２Ａのコーディング領域の下流（3'）側のＤＮＡ断片を得た。このようにして得られたα２Ａのコーディング領域の上流及び下流のＤＮＡ断片をFspIサイトで連結し、pMe18SのEcoRI-NotIサイトにクローン化した。
【００８８】
実施例４
zif268プロモーター−ルシフェラーゼレポータープラスミドの構築。
zif268(EGR-1)プロモーター−ルシフェラーゼレポータープラスミド（pGL2-zif、以下zif-ルシフェラーゼと称することもある）を以下の手順により作成した。
ラットゲノミック  ＤＮＡを鋳型として、プライマーＦ１（5'AGAGAGGGTACCAGCCTCAGCTCTACGCGCCT-3'）及びプライマーＲ１（5'-AGAGAGAAGCTTGAAGCTACTGAGGGCACACT-3'）を用いてＰＣＲを行い、zif268遺伝子のプロモーター領域［転写開始部位に対して-526〜+227（Proc. Natl. Acad. Sci. USA., Vol.86, p.377-381, 1989）］を増幅した。増幅されたＤＮＡ断片を制限酵素SacIIにて消化後平滑末端処理を行い、その後に、さらに制限酵素KpnIにて消化し、-526〜+97の断片を得た。
真核細胞のプローモーター配列とエンハンサー配列を持たない発現ベクターpGL2-ベーシックベクター（PROMEGA社）を制限酵素HindIIIで消化後平滑末端処理を行い、その後に、制限酵素KpnIにて消化し、上記のzif268プロモーター断片（-526〜+97）をpGL2-ベーシックベクターのルシフェラーゼ遺伝子の上流にクローン化した。
【００８９】
実施例５
c-fosプロモーター−ルシフェラーゼレポータープラスミドの構築
c-fosプロモーター−ルシフェラーゼレポータープラスミド（pGL2-fos、以下fosプロモーター−ルシフェラーゼレポーターと記載することもある）を以下のようにして構築した。
ヒトゲノミックＤＮＡを鋳型として、プライマーＦ２（5'-TCTCTCGGTACCGCAGGAACAGTGCTAGTATT-3'）及びプライマーＲ２（5'-TCTCTCAGATCTTGAAGCAGAGCTGGGTAGGA-3'）を用いてＰＣＲを行い、c-fos遺伝子のプロモーター領域［転写開始部位に対して-733〜+98（Endocrinology, Vol.136, p.4505-4516, 1995）； GenBank Accession No.M16287）］を増幅した。増幅されたＤＮＡ断片を制限酵素BglII及びKpnIにて消化した。
発現ベクターpGL2-ベーシックベクター（PROMEGA社）を制限酵素BglII及びKpnIにて消化し、上記のＤＮＡ断片をpGL2-ベーシックベクターにクローン化した。
【００９０】
実施例６
薬剤耐性ベクターの構築
以下の実施例において使用されるピューロマイシン耐性ベクター（pCMV-Pur）は以下のようにして調製した。
pPURプラスミド（CLONTECH製）を制限酵素HindIII、XbaIにて消化し、ピューロマイシン耐性構造遺伝子を含むＤＮＡ断片を得た。このＤＮＡ断片を、発現ベクターpIRESIhyg（CLONTECH製）のHindIII-XbaIサイトにクローン化した。
【００９１】
実施例７
Ｇq情報伝達系を活性化するリガンド／受容体によるレポーター遺伝子の活性化（ヒスタミンによるＨ１ヒスタミン受容体(Ｈ１Ｒ)を介したzif-ルシフェラーゼの活性化）。
Ｇq情報伝達系を活性化するヒスタミン／Ｈ１ヒスタミン受容体の、本発明アッセイ系におけるレポーター遺伝子の活性化の例を以下に示す。
PC12h細胞をコラーゲンコート処理済み24穴プレート（IWAKI製）に１ｘ105細胞／ウェルになるように播いた。培地にはD-MEM(10％ 馬血清, ５％牛胎児血清 , ペニシリン５０単位/ml, ストレプトマイシン５０μg/ml)を用いた。該細胞を37℃で１日培養後に、製造業者の説明書に従いリポフェクトアミン試薬（GIBCO BRL製）を用いて、受容体発現ベクター（pME-H1R; 200ng／ウェル）及びレポータープラスミド（pGL2-zif; 20ng/ウェル）で共形質転換（co-transfection）した。
約６時間後にトランスフェクション液を捨て、低血清D-MEM培地（0.5％馬血清, 0.25％牛胎児血清, ペニシリン50単位／ml, ストレプトマイシン50μg/ml)をウェル当たり１ml加えた。２日間37℃で培養後に、ヒスタミンを最終濃度10nM〜1mMになる様に加えた。６時間37℃で培養後に培地を捨て、細胞をリン酸緩衝生理食塩溶液で２回洗浄後、細胞溶解バッファー（レポーターリシスバッファー；PROMEGA製）をウェル当たり100μl加え細胞を溶解させ、溶解液の一部（10μl）をルシフェラーゼ活性測定に供した。ルシフェラーゼ活性は、基質にルシフェラーゼアッセイシステム（PROMEGA製）を用いて、測定器にLUMINOUS CT-9000D（DIA-IATRON製）を用いて行った。
図１に示す様に、レポーター遺伝子産物であるルシフェラーゼの活性はリガンドであるヒスタミンの濃度に依存して増加し、例えばヒスタミン0.1μMではヒスタミン非添加の32倍、100μMでは123倍の増加が認められ、本アッセイ系が従来技術に比較してはるかに高い応答性を示すことが示された。
なお、PC12h細胞を、該ヒスタミン受容体発現ベクターの代わりに、pME18Sベクタープラスミドで形質転換した場合には、ヒスタミンによるレポーター遺伝子の活性化は見られず、この反応が強制発現したＨ１受容体特異的であることも確認している。
【００９２】
実施例８
Ｇs情報伝達系を活性化するリガンド／受容体によるレポーター遺伝子の活性化。
Ｇs情報伝達系を活性化する、グルカゴン様ペプチド（GLP）/GLP1受容体の本発明アッセイ系におけるレポーター遺伝子の活性化の例を以下に示す。
使用した受容体発現ベクター（pEF-GLPR）及びリガンドが異なる以外、他の条件は実施例７と同様に行った。GLP（7-37、WAKO製）刺激は１pM〜10nMで行った。図２に示すように、GLP濃度依存的にルシフェラーゼ活性の増加が認められ、例えば、10pMで12倍、10nMで50倍のルシフェラーゼ活性の増加が認められた。
【００９３】
実施例９
Ｇi情報伝達系を活性化するリガンド／受容体によるレポーター遺伝子活性化の変化。
アドレナリンα2A受容体のリガンドの１つであるUK14304は、10nM程度でＧi情報伝達系を活性化することが知られている。また、Ｇs情報伝達系のアデニレートシクラーゼの活性化剤であるフォルスコリンによって活性化されたＧｓ情報伝達系は、10nM程度のUK14304で抑制されることが知られている。この現象を本発明アッセイ系で評価した例を以下に示す。
薬剤の刺激条件、及び、受容体発現ベクターにアドレナリンα2A受容体発現ベクター（pME-α2AR）を使用した以外は実施例７と同じ条件で行った。薬剤刺激は、フォルスコリン（RBI Research Biochemicals International; 10μM）あるいは、フォルスコリン（10μM）とUK14304（RBI Research Biochemicals International; 10ｎM）で10分間、37℃で行い、培地を低血清D-MEM培地（0.5％馬血清, 0.25％牛胎児血清, ペニシリン50単位/ml, ストレプトマイシン50μｇ/ml)に交換後さらに約６時間、37℃培養し、ルシフェラーゼ活性を測定した。
図３に示すように、アデニレートシクラーゼ活性化剤であるフォルスコリン刺激によりルシフェラーゼ活性は約10倍増加し、10nMのUK14304によるＧsの阻害（Giの活性化）はルシフェラーゼ活性の約40％の減少としてとらえられることが示された。
【００９４】
実施例１０
ＧqiキメラＧ蛋白質発現ベクターの構築
ＧqiキメラＧ蛋白質発現ベクターpME-Gqiを以下のようにして構築した。
Ｇ蛋白質Ｇqのαサブユニットのカルボキシ末端側９アミノ酸残基を、Ｇ蛋白質Ｇiのαサブユニットのカルボキシ末端側の９アミノ酸残基に置き換えたキメラＧ蛋白質の発現ベクター）を以下のようにして調製した。
マウスの脳より調製したＲＮＡから、オリゴｄＴプライマーを用いてcDNAを合成した。このcDNAを鋳型としてプライマーＦ５（5'-GGACTAGTGAGGCACTTCGGAAGAATGACTCTGGA-3'）及びプライマーＲ５（5'-GGACTAGTTAGAACAGACCGCAATCCTTCAGGTTATTCTGCAGG-3'）を用いてＰＣＲを行い、増幅したＤＮＡ断片を制限酵素SpeIにて消化した。なお、プライマーＲ５の一部の塩基配列（GAACAGACCGCAATCCTTCAGGTTATT）の相補鎖配列はＧiのＣ末端アミノ酸配列をコードし、他の一部の塩基配列（CTGCAGG-3'）の相補鎖配列はＧqのアミノ酸配列をコードしている。
発現ベクターpME18Sを制限酵素XhoIにて消化し、セルフライゲーション反応により、XhoI断片（スタッファー断片）を含まない発現ベクターを作製した。その後、その発現ベクターを制限酵素SpeIにて消化後、上記のＰＣＲにて増幅したＤＮＡ断片をpME18SのSpeIサイトにクローン化した。
【００９５】
実施例１１
受容体／レポーター／ＧqiキメラＧ蛋白質を組み合わせることによるＧｓ，Ｇq，Ｇi共役型受容体を介したレポーター遺伝子の活性化。
実施例７乃至実施例９に示したように、本アッセイ系ではＧs及びＧqの情報伝達をルシフェラーゼ活性の増加という形で感度よくとえれられ、Ｇiの情報伝達はフォスルコリン等を用いたＧs情報伝達系の活性化と組み合わせることで、ルシフェラーゼ活性の抑制という形でとらえられる。
一方、Ｇq蛋白質αサブユニットのＣ末端側の４から９残基程度をＧi蛋白質のαサブユニットにおきかえたキメラＧ蛋白質（Ｇqi）は、Ｇi共役型受容体に結合し、Ｇq情報伝達系を活性化することがすでに報告されている（Nature, Vol.363, p.274-276, 1993; Molecular Pharmacology, Vol.50, p.923-930, 1996）。本発明アッセイ系において、細胞中にさらにＧq蛋白質αサブユニットのＣ末端側の９残基をＧi蛋白質のαサブユニットにおきかえたＧqiのキメラＧ蛋白質を強制発現させることにより、Ｇs及びＧqのみならずＧiの任意と共役する受容体を介した情報伝達もルシフェラーゼ活性の増加の形でとらえられる例を以下に示す。
トランスフェクションには、ウェル当たり、受容体発現ベクター（100ng）、レポータープラスミド（pGL2-zif; 20ng）、Ｇqi発現ベクター（pME-Gqi; 30mg）を用いた。なお、最終プラスミド量をウェルあたり200ngにそろえる目的で、pME18Sベクタープラスミドを50ng加えた。他の条件は実施例７と同じとした。図４に示すように、Ｇi情報伝達系を活性化する10nMのUK14304刺激によりルシフェラーゼ活性は18倍程度増強され、Ｇi情報伝達系をルシフェラーゼ活性の増加として感度良くとらえられることが示された。
また、Ｈ１受容体発現ベクター（Ｇq情報伝達系）あるいはGLP受容体発現ベクター（Ｇs情報伝達系）をＧqi発現ベクター及びレポータープラスミドで共形質転換した細胞を、ヒスタミンあるいはGLPで刺激した場合も、それぞれの情報伝達系活性化を、それぞれ約160倍及び９倍のルシフェラーゼ活性の増加としてとらえられることが示された。
すなわち、PC12h細胞を、受容体発現ベクター、レポータープラスミド、及びＧqi発現ベクターで共形質転換（co-transfection）することにより、Ｇq、Ｇs、及びＧiの任意を介する情報伝達系活性化の全てをルシフェラーゼ活性の増加として感度良く検出できることが示された。
【００９６】
実施例１２
受容体遺伝子／レポーター遺伝子安定形質転換体の作製及び安定形質転換体のリガンドに対する応答性。
PC12h細胞をコラーゲンコート済みのシャーレ（内径10cm；IWAKI製）に３ｘ106個播き１日培養した後に、製造業者の説明書に従いリポフェクトアミン試薬（GIBCO BRL製）を用いて、レポータープラスミド（pGL2-zifあるいはpGL2-fos；６μｇ)及び薬剤耐性プラスミド（pBK-CMV；ネオマイシン耐性遺伝子（STRATAGENE製）若しくはpCMV-pur；ピューロマイシン耐性遺伝子(0.6μg））で共形質転換（co-transfection）した。約６時間後にトランスフェクション液を捨て、D-MEM培地（10％馬血清, ５％牛胎児血清, ペニシリン50単位/ml, ストレプトマイシン50μg/ml)をシャーレ当たり10ml加えた。２日間37℃で培養後に、細胞を１／３に希釈し、選択薬剤（G418；GIBCO BRL製、あるいはピューロマイシン；SIGMA製）を加えた。１〜２週間後に、シャーレ内に形成されたコロニーをコラーゲンコート済み24穴プレート（IWAKI製）にピックアップした。培養を続け各クローン（細胞）が十分に増殖した時点で、各クローンのレポーター活性を以下の方法で測定した。すなわち、PC12h細胞をNGF（Nerve Growth Factor）で刺激することにより、本発明アッセイ系で使用しているレポーター遺伝子（pGL2-zifまたはpGL2-fos）が活性化される性質を利用して、各クローンを実施例７と同様に24穴プレートに播き、トランスフェクション操作は行わず、２日後にNGF刺激を行い、６時間後にルシフェラーゼ活性を測定した。そして、無刺激でのルシフェラーゼ活性が低く、NGF刺激で高い応答性を示すクローンを選択した。選択されたクローンについて、限界希釈法により細胞のクローン化を再度行いレポーター遺伝子安定形質転換体を樹立した。
ついで、ネオマイシン耐性遺伝子及びzif268レポーター遺伝子安定形質転換体の１クローンであるz/n36-2を、Ｈ１ヒスタミン受容体発現ベクター（pME-H1R; ６μｇ）及び薬剤耐性プラスミド（pBS-pur；ピューロマイシン耐性; 0.6μｇ）で共形質転換した。
上記と同様の方法でコロニーをピックアップし、得られたＨ１ヒスタミン受容体／zif268-レポーター遺伝子安定形質転換体の各クローンについて、ヒスタミンに対する応答性を測定し、高応答性のクローンを選択した。
同様の方法で、アドレナリンα2A受容体／zif268-レポーター遺伝子、GLP1受容体／zif268-レポーター遺伝子をそれぞれに発現する安定形質転換体を樹立した。
これらの安定形質転換体は表１に示すように、何れも受容体に対応したリガンドに対して高い応答性を持つことが示された。
【００９７】
【表１】
0003643288.tif 000002
【００９８】
実施例１３
宿主細胞とレポーター遺伝子発現調節プロモーターとの各種組み合せでのレポーター遺伝子の応答性の比較
ヒスタミン／Ｈ１ヒスタミン受容体間の相互作用で誘導されるシグナル伝達のレポータージーンアッセイによる検出において、該レポーター遺伝子の該シグナルに対する応答性を、各種の宿主細胞（PC12h細胞、PC12細胞、CHO細胞またはCOS細胞）と各種のプロモーター／レポーター遺伝子（zif-ルシフェラーゼレポーター遺伝子またはfos-ルシフェラーゼレポーター遺伝子）を組み合せることにより検証した。
PC12h細胞、PC12細胞、CHO細胞、COS細胞、それぞれに、レポータープラスミド（pGL2-zifあるいはpGL2-fos）、及び、受容体発現ベクター（pME-H1R）をトランスフェクトし、ヒスタミン刺激に応答したルシフェラーゼ活性化を測定した。トランスフェクションからルシフェラーゼ活性測定までの一連の操作及び条件は、実施例７に準じた。
表２に示すように、PC12h細胞／zif-ルシフェラーゼの組み合わせが最も高いリガンド応答性（130倍の活性化）を示した。一方、他の組み合わせについても応答性は落ちるものの、何れの組み合わせにおいてもリガンド（ヒスタミン）によるレポーター遺伝子の活性化が認められた。
【００９９】
【表２】
0003643288.tif 000003
すなわち、zif-ルシフェラーゼレポーターはPC12h細胞で最も高い応答性を示すが、他の細胞においてもリガンド特異的応答性を示すこと、ならびにfos-ルシフェラーゼレポーターもPC12h細胞をはじめとする各種細胞においてリガンド特異的に応答性を示し、これら複数の何れの組み合わせもリガンドアッセイに利用できることが示された。
【０１００】
実施例１４
MAPキナーゼの活性化を指標としたシグナル伝達の検出とレポーター遺伝子の発現を指標としたシグナル伝達の検出の比較
ヒスタミン／Ｈ１受容体間の相互作用により誘導されるシグナル伝達を、MAPキナーゼ（mitogen activated protein kinase）の活性化を指標として解析した。
該H1受容体発現細胞の作製の宿主細胞として、PC12h細胞、CHO細胞、CV1細胞、及びHEK293細胞を用い、各種細胞でのMAPキナーゼの活性化の程度を比較した。
MAPキナーゼ活性化測定にはPathDetect Elk1trans Reporting System(pFR Lucプラスミド; レポータープラスミド；pFA2 Elk1プラスミド；及びフュージョントランスアクティベータープラスミドを含む。STRATAGENE製）を用いた。PC12h細胞、CHO細胞、CV1細胞、HEK293細胞（0.5〜２ｘ105細胞／ウェル）をコラーゲンコート済み24穴プレート（IWAKI製）に撒き、それぞれの細胞に、pFR Luc（40〜200ng/ウェル）、pFA2 Elk1（10〜300ng/ウェル）、及び受容体発現ベクター（pME-H1R；200〜400ng/ウェル）をトランスフェクトし、ヒスタミン刺激に応答したルシフェラーゼ活性化を測定した。トランスフェクションにはSuperFectトランスフェクション試薬（1.5〜５μl/ウェル；QUAGEN製、カタログ番号：#301307）を用いて、製造業者の説明書に従いコトランスフェクトした。なお、試験に用いた細胞数、各種プラスミド及びトランスフェクション試薬の量は、事前に検討した各細胞に最適な条件に設定した。
ヒスタミン刺激からルシフェラーゼ活性測定までの一連の操作は実施例７に準じた。
表３に示すように、リガンドと受容体の相互作用により誘導されるシグナル伝達の有無をMAPキナーゼ活性化を指標として検出した場合には、検出の感度は、前記実施例で示したzif-ルシフェラーゼをレポーターに用いた場合に比べ極めて低いことが示された。
しかしながら、MAPキナーゼ活性化を指標としたシグナルの検出においても、該受容体を発現させる宿主細胞については、前記実施例で示したzif-ルシフェラーゼを用いるレポータージーンアッセイでのシグナル伝達と同様に、PC12h細胞を用いた場合に最も感度良くシグナル伝達を捉えられることが示された。
【０１０１】
【表３】
0003643288.tif 000004
【０１０２】
実施例１５
ＳＲＥをプロモーターに有するレポーター遺伝子とzif268-レポーター遺伝子の応答性の比較
zif268(EGR-1)プロモーターにはSRE(serum response element）が４ヵ所含まれている。そこで、SREをプロモーターに有するレポーター遺伝子とzifレポーター遺伝子の応答性を、ヒスタミン／Ｈ１ヒスタミン受容体発現細胞及びGLP/GLP1受容体発現細胞の各々について比較検討した例を以下に示す。
PC12h細胞に、レポータープラスミド（pGL2-zifあるいはpSRE-Luc［SREをプロモーターに有するルシフェラーゼレポータープラスミド；STRATAGENE製、カタログ番号：＃219080］）、及び受容体発現ベクター（pME-H1RあるいはpEF-GLPR）をトランスフェクトし、リガンド刺激に応答したルシフェラーゼ活性化を測定した。トランスフェクションからルシフェラーゼ活性測定までの一連の操作及び条件は、実施例７に準じた。
表４に示すように、zif-ルシフェラーゼレポーター遺伝子を用いた場合には、ヒスタミン／Ｈ１ヒスタミン受容体発現細胞及びGLP/GLP1受容体発現細胞のいずれにおけるシグナル伝達の検出においても高い応答性を示した。
一方、SRE-ルシフェラーゼレポーター遺伝子を用いた場合には、ヒスタミン／Ｈ１ヒスタミン受容体発現細胞系でのシグナル伝達には応答するものの、その程度はzif-ルシフェラーゼレポーター遺伝子を用いる場合に比べると約１／２であり、またGLP/GLP1受容体発現細胞でのシグナル伝達に対しての応答性は低いものであった。
【０１０３】
【表４】
0003643288.tif 000005
以上のことから、zif268(EGR-1)プロモーターには、応答性に関与するＳＲＥ以外の重要なエレメントが含まれており、zif268をSReで代用することは出来ないことが示された。しかしながら、この試験結果は、本発明で使用されるプロモーターとしては、zif268(EGR-1）プロモーターが好ましいことを単に示すだけのものであり、zif268以外のプロモーターであって、SRE及び／またはCREを含むプロモーターが本発明で使用できないことを意味するものではない。SRE及び／またはCREを含むプロモーターも本発明の態様の一つであることは言うまでもない。
【０１０４】
【発明の効果】
細胞を用いるレポータージーンアッセイ（cell-based reporter gene assay）を用いて、Ｇ蛋白質共役型受容体とリガンドの相互作用により誘導されるＧ蛋白質を介する情報伝達系の活性化の程度を解析する方法において、該レポーター遺伝子の発現を制御するプロモーターとしてＧ蛋白質を介するシグナルにより発現が誘導される遺伝子のプロモーター領域（好ましくは、zif268(EGR-1）プロモーター領域）を使用すること、また宿主細胞としてPC12細胞またはそれからサブクローニングされる細胞（例えば、PC12h細胞及び該PC12h細胞からサブクローニングされる細胞）を用いることにより、該Ｇ蛋白質を介する情報伝達系の活性化（レポーター遺伝子の発現の増大を指標に検出されるシグナル）の程度を極めて高感度で検出することが可能となった。
具体的には、本発明のアッセイで用いられる上記のG蛋白質共役型受容体発現PC12由来細胞）に該受容体に対するリガンドを接触させることにより検出される該シグナルの値の絶対値が極めて大きくなり、該リガンドと接触させない場合に検出される該シグナルとの比（即ち、S/N比）は、少なくとも約20乃至30倍以上と高いものである。
また、上記レポータージーンアッセイに用いられる宿主細胞中に、(1)GqまたはGsの各々のαサブユニットとGiのαサブユニットとからなるキメラＧ蛋白質Ｇαサブユニットをコードする遺伝子、または(2)G15やG16などのように受容体特異性を有さずに受容体と共役しフォスフォリパーゼＣを活性化することによりシグナルを伝達するＧ蛋白質をコードする遺伝子、のいずれかを導入することにより、Giを介するシグナル伝達もレポーター遺伝子の発現の増加を指標として極めて高い感度で検出可能となった。
即ち、この方法を用いることにより、共役するＧ蛋白質に拘束されることなく、任意のＧ蛋白質（例えば、Gq、Gs及びGi）を介するシグナル伝達の有無を１種類の細胞を用いる１つのアッセイ系で極めて高感度で検出可能である。
【０１０５】
従って、本発明のアッセイ方法及び該アッセイに用いられる上記のような特徴を有する細胞を用いることにより、下記(1)乃至(4)を極めて簡便且つ迅速に実施することが可能となった。
（１）所望の物質がＧ蛋白質共役型受容体のアゴニストであるか否かの決定。
（２）所望の物質がＧ蛋白質共役型受容体のアンタゴニストまたは該受容体のアゴニストのアゴニスト作用を阻害する活性を有する物質であるか否かの決定。
（３）所望のＧ蛋白質共役型受容体のリガンド（例えば、アゴニスト）を同定するための多数の物質のスクリーニング。
（４）所望のＧ蛋白質共役型受容体のアンタゴニストまたは該受容体の既知アゴニストのアゴニスト作用を阻害する物質を同定するための多数の物質のスクリーニング。
例えば、ヒスタミン受容体、アドレナリン受容体、セロトニン受容体などのようにＧ蛋白質共役型受容体の多くは種々の疾患と密接に関連しており、またそのようなＧ蛋白質共役型受容体を医薬品のターゲットし該受容体の機能を制御する薬剤が多く開発販売されている。
従って、上記(1)乃至(4)の実施は、即ち、任意のＧ蛋白質共役型受容体をターゲットとする医薬品の同定及びスクリーニング方法であり、医薬品開発において不可欠なステップである。即ち、本発明の方法及び細胞は、医薬品開発において必須且つ極めて有用な方法及び細胞である。
【０１０６】
また、本発明のアッセイ方法及び該アッセイに用いられる上記のような特徴を有する細胞を用いることにより、下記(5)を極めて簡便且つ迅速に実施することが可能となった。
(5)ある物質と相互作用する受容体（例えば、Ｇ蛋白質共役型受容体）の、エクスプレッションクローニング法を用いた同定。
前述したとおり、G蛋白質共役型受容体は種々の疾患の発症と密接に関連していることから、上記(5)が可能になることで、種々の疾患の治療のための医薬品開発のターゲットとしての受容体を容易に同定することが可能となる。
【０１０７】
【配列表】
SEQUENCE LISTING
＜１１０＞  Ｊａｐａｎ  Ｔｏｂａｃｃｏ，  Ｉｎｃ．
<120> Method for Screening Ligands of G-Protein Coupled Receptor
ａｎｄ  Ｅｘｐｒｅｓｓｉｏｎ  Ｃｌｏｎｉｎｇ  Ｍｅｔｈｏｄ  ｆｏｒ  Ｇ−Ｐｒｏｔｅｉｎ  Ｃｏｕｐｌｅｄ  Ｒｅｃｅｐｔｏｒ
＜１３０＞  Ｊ００−００５５
＜１４０＞
＜１４１＞
＜１５０＞  ＪＰ１１−１０５６３１
＜１５１＞  １９９９−０４−１３
＜１６０＞  １０
＜１７０＞  ＰａｔｅｎｔＩｎ  Ｖｅｒ．  ２．１
＜２１０＞  １
＜２１１＞  ２８
＜２１２＞  ＤＮＡ
＜２１３＞  Ａｒｔｉｆｉｃｉａｌ  Ｓｅｑｕｅｎｃｅ
＜２２０＞
＜２２３＞  Ｄｅｓｃｒｉｐｔｉｏｎ  ｏｆ  Ａｒｔｉｆｉｃｉａｌ  Ｓｅｑｕｅｎｃｅ：ｐｒｉｍｅｒ  Ｆ３
＜４００＞  １
ｇｃｇａａｔｔｃｃａ  ａｔｇａｃｃｔｇｔｃ  ｃｃａａｃｔｃｃ  ２８
＜２１０＞  ２
＜２１１＞  ３０
＜２１２＞  ＤＮＡ
＜２１３＞  Ａｒｔｉｆｉｃｉａｌ  Ｓｅｑｕｅｎｃｅ
＜２２０＞
＜２２３＞  Ｄｅｓｃｒｉｐｔｉｏｎ  ｏｆ  Ａｒｔｉｆｉｃｉａｌ  Ｓｅｑｕｅｎｃｅ：ｐｒｉｍｅｒ  Ｒ３
＜４００＞  ２
ｇｃｇｃｇｇｃｃｇｃ  ａｇｇｃｔｔｃｃｔｃ  ｃｔｔｃａｃｔｔｃｃ  ３０
＜２１０＞  ３
＜２１１＞  ２３
＜２１２＞  ＤＮＡ
＜２１３＞  Ａｒｔｉｆｉｃｉａｌ  Ｓｅｑｕｅｎｃｅ
<220>
＜２２３＞  Ｄｅｓｃｒｉｐｔｉｏｎ  ｏｆ  Ａｒｔｉｆｉｃｉａｌ  Ｓｅｑｕｅｎｃｅ：ｐｒｉｍｅｒ  Ｆ４
＜４００＞  ３
ｇｃｇａａｔｔｃｃｃ  ａｇｔｃｃｔｇａａｃ  ｔｃｃ  ２３
＜２１０＞  ４
＜２１１＞  ２４
＜２１２＞  ＤＮＡ
＜２１３＞  Ａｒｔｉｆｉｃｉａｌ  Ｓｅｑｕｅｎｃｅ
＜２２０＞
＜２２３＞  Ｄｅｓｃｒｉｐｔｉｏｎ  ｏｆ  Ａｒｔｉｆｉｃｉａｌ  Ｓｅｑｕｅｎｃｅ：ｐｒｉｍｅｒ  Ｒ４
＜４００＞  ４
ｃｇｃｔｃｇａｇｔｃ  ｔｃａｇｃｔｇｃａｇ  ｇａｇｇ  ２４
＜２１０＞  ５
＜２１１＞  ３２
＜２１２＞  ＤＮＡ
＜２１３＞  Ａｒｔｉｆｉｃｉａｌ  Ｓｅｑｕｅｎｃｅ
＜２２０＞
＜２２３＞  Ｄｅｓｃｒｉｐｔｉｏｎ  ｏｆ  Ａｒｔｉｆｉｃｉａｌ  Ｓｅｑｕｅｎｃｅ：ｐｒｉｍｅｒ  Ｆ１
＜４００＞  ５
ａｇａｇａｇｇｇｔａ  ｃｃａｇｃｃｔｃａｇ  ｃｔｃｔａｃｇｃｇｃ  ｃｔ  ３２
＜２１０＞  ６
＜２１１＞  ３２
＜２１２＞  ＤＮＡ
＜２１３＞  Ａｒｔｉｆｉｃｉａｌ  Ｓｅｑｕｅｎｃｅ
＜２２０＞
＜２２３＞  Ｄｅｓｃｒｉｐｔｉｏｎ  ｏｆ  Ａｒｔｉｆｉｃｉａｌ  Ｓｅｑｕｅｎｃｅ：ｐｒｉｍｅｒ  Ｒ１
＜４００＞  ６
ａｇａｇａｇａａｇｃ  ｔｔｇａａｇｃｔａｃ  ｔｇａｇｇｇｃａｃａ  ｃｔ  ３２
＜２１０＞  ７
<211> 32
＜２１２＞  ＤＮＡ
＜２１３＞  Ａｒｔｉｆｉｃｉａｌ  Ｓｅｑｕｅｎｃｅ
＜２２０＞
＜２２３＞  Ｄｅｓｃｒｉｐｔｉｏｎ  ｏｆ  Ａｒｔｉｆｉｃｉａｌ  Ｓｅｑｕｅｎｃｅ：ｐｒｉｍｅｒ  Ｆ２
＜４００＞  ７
ｔｃｔｃｔｃｇｇｔａ  ｃｃｇｃａｇｇａａｃ  ａｇｔｇｃｔａｇｔａ  ｔｔ  ３２
＜２１０＞  ８
＜２１１＞  ３２
＜２１２＞  ＤＮＡ
＜２１３＞  Ａｒｔｉｆｉｃｉａｌ  Ｓｅｑｕｅｎｃｅ
＜２２０＞
＜２２３＞  Ｄｅｓｃｒｉｐｔｉｏｎ  ｏｆ  Ａｒｔｉｆｉｃｉａｌ  Ｓｅｑｕｅｎｃｅ：ｐｒｉｍｅｒ  Ｒ２
＜４００＞  ８
ｔｃｔｃｔｃａｇａｔ  ｃｔｔｇａａｇｃａｇ  ａｇｃｔｇｇｇｔａｇ  ｇａ  ３２
＜２１０＞  ９
＜２１１＞  ３５
＜２１２＞  ＤＮＡ
＜２１３＞  Ａｒｔｉｆｉｃｉａｌ  Ｓｅｑｕｅｎｃｅ
＜２２０＞
＜２２３＞  Ｄｅｓｃｒｉｐｔｉｏｎ  ｏｆ  Ａｒｔｉｆｉｃｉａｌ  Ｓｅｑｕｅｎｃｅ：ｐｒｉｍｅｒ  Ｆ５
＜４００＞  ９
ｇｇａｃｔａｇｔｇａ  ｇｇｃａｃｔｔｃｇｇ  ａａｇａａｔｇａｃｔ  ｃｔｇｇａ  ３５
＜２１０＞  １０
＜２１１＞  ４４
＜２１２＞  ＤＮＡ
＜２１３＞  Ａｒｔｉｆｉｃｉａｌ  Ｓｅｑｕｅｎｃｅ
＜２２０＞
＜２２３＞  Ｄｅｓｃｒｉｐｔｉｏｎ  ｏｆ  Ａｒｔｉｆｉｃｉａｌ  Ｓｅｑｕｅｎｃｅ：ｐｒｉｍｅｒ  Ｒ５
<400> 10
ｇｇａｃｔａｇｔｔａ  ｇａａｃａｇａｃｃｇ  ｃａａｔｃｃｔｔｃａ  ｇｇｔｔａｔｔｃｔｇ  ｃａｇｇ  ４４
【０１０８】
「配列表フリーテキスト」
配列番号：１
他の情報：人工配列についての記載：プライマーF3
配列番号：２
他の情報：人工配列についての記載：プライマーR3
配列番号：３
他の情報：人工配列についての記載：プライマーF4
配列番号：４
他の情報：人工配列についての記載：プライマーR4
配列番号：５
他の情報：人工配列についての記載：プライマーF1
配列番号：６
他の情報：人工配列についての記載：プライマーR1
配列番号：７
他の情報：人工配列についての記載：プライマーF2
配列番号：８
他の情報：人工配列についての記載：プライマーR2
配列番号：９
他の情報：人工配列についての記載：プライマーF5
配列番号：１０
他の情報：人工配列についての記載：プライマーR5
【０１０９】
【図面の簡単な説明】
【図１】  zif-ルシフェラーゼ遺伝子及びヒスタミンＨ１受容体遺伝子を導入したPC12h細胞の各種濃度のヒスタミンに対する応答性を示す図。
【図２】  zif-ルシフェラーゼ遺伝子及びGLP1受容体遺伝子を導入したPC12h細胞の各種濃度のGLPに対する応答性を示す図。
【図３】  zif-ルシフェラーゼ遺伝子及びアドレナリンαA2受容体遺伝子を導入したPC12h細胞のフォルスコリン及び／またはUK14304に対する応答性を示す図。
【図４】（１）zif-ルシフェラーゼ遺伝子、ヒスタミンＨ１受容体遺伝子及びGqiキメラ分子をコードする遺伝子を導入したPC12h細胞のヒスタミンに対する応答性、（２）zif-ルシフェラーゼ遺伝子、GLP1受容体遺伝子及びGqiキメラ分子をコードする遺伝子を導入したPC12h細胞のGLPに対する応答性、並びに（３）zif-ルシフェラーゼ遺伝子、アドレナリンαA2受容体遺伝子及びGqiキメラ分子をコードする遺伝子を導入したPC12h細胞のUK14304に対する応答性の各々を示す図。
【図１】
0003643288.tif 000006
【図２】
0003643288.tif 000007
【図３】
0003643288.tif 000008
【図４】
0003643288.tif 000009